(57)【要約】【課題】  複数の店舗において会員となっている会員の利便性を向上すること。【解決手段】  会員識別情報に対応付けて、当該会員の会員属性情報並びに遊技履歴を含む会員利用関連情報を記憶する会員関連情報記憶手段１４５を有し、会員から会員となっているいずれか１つの遊技場の会員識別情報を受付けて、当該会員が会員となっている他の遊技場の会員利用関連情報を抽出して配信するとともに、受付けたいずれか１つの遊技場の会員識別情報と会員関連情報記憶手段に記憶されている会員属性情報に基づいて、当該会員が会員となっている全ての遊技場における会員識別情報を特定して、当該会員の遊技履歴に基づく該当機種での統合履歴を生成して配信する。【選択図】  図１９
2006334032.tif 000002
【特許請求の範囲】
【請求項１】
複数の遊技場において会員登録した会員に対して当該会員が会員となっている各遊技場における当該会員に関する情報の提供サービスを行うための会員サービス提供装置であって、
複数の各遊技場を個々に識別可能な遊技場識別情報並びに該遊技場における各会員を個々に識別可能な会員識別情報に対応付けて、当該会員の会員属性情報並びに当該遊技場の利用に関連して発生した会員利用関連情報並びに当該会員が遊技した遊技機の機種を特定可能な機種特定情報と該会員の当該遊技機における遊技に関連して発生した遊技関連情報とを含む遊技履歴情報を記憶するための会員関連情報記憶手段と、
会員が操作可能な情報端末から当該会員が会員となっているいずれか１つの遊技場における会員識別情報を特定可能な会員識別情報特定情報または該会員識別情報特定情報に加えて機種特定情報を少なくとも受付ける会員識別情報受付け手段と、
前記会員識別情報受付け手段にて会員識別情報特定情報を受付けたとき、該受付けた会員識別情報特定情報並びに前記会員関連情報記憶手段に記憶されている情報に基づいて、該受付けた会員識別情報特定情報から特定される会員識別情報が対応する遊技場以外の遊技場の遊技場識別情報と当該遊技場における当該会員の会員識別情報とを全て特定する他遊技場会員識別情報特定手段と、
前記会員識別情報受付け手段にて受付けた会員識別情報特定情報から特定される会員識別情報と該会員識別情報が対応する遊技場の遊技場識別情報とに対応付けて前記会員関連情報記憶手段に記憶されている会員利用関連情報、並びに前記他遊技場会員識別情報特定手段にて特定された遊技場識別情報と会員識別情報とに対応付けて前記会員関連情報記憶手段に記憶されている会員利用関連情報を抽出する抽出手段と、
前記抽出手段にて抽出された会員利用関連情報を前記情報端末或いは会員が指定した配信先に配信する会員利用関連情報配信手段と、
前記会員識別情報受付け手段において、前記会員識別情報特定情報に加えて機種特定情報を含む遊技履歴情報送信要求を受付けたときには、該遊技履歴情報送信要求に含まれる会員識別情報特定情報から特定される会員識別情報と該会員識別情報が対応する遊技場の遊技場識別情報とに対応付けて前記会員関連情報記憶手段に記憶されている遊技履歴情報、並びに前記他遊技場会員識別情報特定手段にて特定された全ての遊技場識別情報と会員識別情報とに対応付けて前記会員関連情報記憶手段に記憶されている遊技履歴情報の内、該遊技履歴情報送信要求に含まれる機種特定情報を含む遊技履歴情報を抽出する遊技履歴抽出手段と、
前記遊技履歴抽出手段にて抽出された遊技履歴情報を統合して統合遊技履歴情報を生成する統合遊技履歴情報生成手段と、
前記統合遊技履歴情報生成手段にて生成された統合遊技履歴情報を、前記遊技履歴情報送信要求を行った前記情報端末或いは会員が指定した配信先に配信する統合遊技履歴情報配信手段と、
を備えることを特徴とする会員サービス提供装置。
【請求項２】
前記他遊技場会員識別情報特定手段は、前記会員識別情報受付け手段にて受付けた会員識別情報特定情報から特定される会員識別情報に対応付けて前記会員関連情報記憶手段に記憶されている会員属性情報と同一の会員属性情報に対応付けて該会員関連情報記憶手段に記憶されている会員識別情報と遊技場識別情報とから、該受付けた会員識別情報が対応する遊技場以外の遊技場の遊技場識別情報と当該遊技場における当該会員の会員識別情報とを特定することを特徴とする請求項１に記載の会員サービス提供装置。
【請求項３】
前記会員関連情報記憶手段に同一の会員属性情報に対応付けて記憶されている遊技場識別情報を抽出する遊技場抽出手段を備え、
前記会員関連情報記憶手段は、前記遊技場抽出手段にて抽出された遊技場識別情報と会員属性情報とを対応付けて記憶するための遊技場識別情報記憶手段を含み、
前記他遊技場会員識別情報特定手段は、前記会員識別情報受付け手段にて受付けた会員識別情報特定情報から特定される会員識別情報と当該会員識別情報が対応する遊技場の遊技場識別情報とに対応付けて前記会員関連情報記憶手段に記憶されている会員属性情報を特定し、該特定した会員属性情報に対応付けて前記遊技場識別情報記憶手段に記憶されている遊技場識別情報と、当該遊技場識別情報と前記特定した会員属性情報とに対応付けて前記会員関連情報記憶手段に記憶されている会員識別情報とから、該受付けた会員識別情報が対応する遊技場以外の遊技場の遊技場識別情報と当該遊技場における当該会員の会員識別情報とを特定することを特徴とする請求項２に記載の会員サービス提供装置。
【請求項４】
前記会員関連情報記憶手段は、各会員の会員属性情報に対応付けて、当該会員が会員となっている個々の遊技場における会員識別情報と当該会員識別情報が対応する遊技場の遊技場識別情報とを記憶するための会員識別情報記憶手段を含み、
前記他遊技場会員識別情報特定手段は、前記会員識別情報受付け手段にて受付けた会員識別情報特定情報から特定される会員識別情報に対応付けて前記会員識別情報記憶手段に記憶されている当該会員識別情報が対応する遊技場識別情報から、該受付けた会員識別情報が対応する遊技場以外の遊技場の遊技場識別情報と当該遊技場における当該会員の会員識別情報とを特定することを特徴とする請求項１に記載の会員サービス提供装置。
【請求項５】
前記遊技履歴抽出手段にて抽出された遊技履歴情報を、当該抽出された遊技履歴情報が対応する遊技場別に前記遊技履歴情報送信要求を行った前記情報端末或いは会員が指定した配信先に配信する遊技場別遊技履歴情報配信手段を備えることを特徴とする請求項１〜４のいずれかに記載の会員サービス提供装置。
【請求項６】
前記統合遊技履歴情報生成手段は、前記遊技履歴抽出手段にて抽出された遊技履歴情報を、当該抽出された遊技履歴情報が対応する遊技場別に対比可能な比較表示データ形式に加工する比較表示データ加工手段を含み、
前記比較表示データ加工手段にて加工された比較表示データ形式の遊技履歴情報を、前記遊技履歴情報送信要求を送信してきた前記情報端末或いは会員が指定した配信先に配信する比較表示データ配信手段を備えることを特徴とする請求項１〜５のいずれかに記載の会員サービス提供装置。
【請求項７】
前記遊技履歴情報送信要求に含まれる会員識別情報特定情報から特定される会員識別情報並びに前記他遊技場会員識別情報特定手段にて特定された全ての会員識別情報に対応付けて前記会員関連情報記憶手段に記憶されている会員利用関連情報に含まれる遊技履歴情報の内、該遊技履歴情報送信要求に含まれる機種特定情報を含まない他機種遊技履歴情報を抽出する他機種遊技履歴情報抽出手段と、
前記他機種遊技履歴情報抽出手段にて抽出された他機種遊技履歴情報を各機種毎に統合して他機種統合遊技履歴情報を生成する他機種統合遊技履歴情報生成手段と、
前記他機種統合遊技履歴情報生成手段にて生成された各機種毎の他機種統合遊技履歴情報を、前記遊技履歴情報送信要求を送信してきた前記情報端末或いは会員が指定した配信先に配信する他機種統合遊技履歴情報配信手段と、
を備えることを特徴とする請求項１〜６のいずれかに記載の会員サービス提供装置。
【発明の詳細な説明】
【技術分野】
【０００１】
本発明は、複数の遊技場において会員登録した会員に対して当該会員が会員となっている各遊技場における当該会員に関する情報の提供サービスを行うための会員サービス提供装置に関する。
【背景技術】
【０００２】
近年、顧客の固定化や他店との差別化、並びに固定顧客へのサービスの向上を目的として、会員登録により顧客を会員とすることが多くの遊技場において実施されている。
【０００３】
これらの遊技場においては、該遊技場において会員登録した会員へのサービスの一環として、遊技にて一度獲得したパチンコ玉やメダルを再度遊技に使用可能に貯蓄することのできる貯蓄サービスが実施されており、これら貯蓄されているパチンコ玉数やメダル数を会員遊技者が確認するためのシステムとして、会員遊技者が、自分が所有するパソコン等の情報装置から会員となっている遊技場が運営するサイトにアクセスして、その遊技場の会員ＩＤ（会員番号）と暗証番号を入力することで、会員遊技者が、当該遊技場において遊技を実施する、つまり利用することにより発生した会員利用関連情報となる貯蓄されているパチンコ玉数やメダル数等を確認できるシステムがある。（例えば、特許文献１参照）。
【０００４】
さらには、会員へのサービスの一環として、自分が遊技している台の機種における自己の遊技履歴の情報を確認できるサービスがあり、これら遊技中機種の遊技履歴情報を確認できるシステムとしては、遊技場内に各会員遊技者が遊技した遊技台の機種情報を含む遊技履歴を、各会員遊技者の会員ＩＤに対応付けて記憶・管理する管理装置を設置しておき、該記憶している遊技履歴から、当該会員遊技者が遊技している遊技機の台番号から特定される機種の各台のデータを抽出し、当該機種における機種トータルデータを生成して表示するものがある。（例えば、特許文献２参照）。
【０００５】
【特許文献１】特開平１０−１５１２６６号公報（第３頁、第４図）
【特許文献２】特開２００３−２３６２１４号公報（第４頁、第６図）
【発明の開示】
【発明が解決しようとする課題】
【０００６】
しかしながら、前記した特許文献１のシステムにあっては、会員遊技者が、自分が会員となっている遊技場の会員番号と暗証番号を入力することで、その遊技場における貯蓄されているパチンコ玉数（貯玉数）等は確認できるものの、当該会員遊技者が、その他の遊技場においても会員となっている場合において、他の遊技場における貯玉数等の会員利用関連情報を確認する場合には、新たに確認しようとする遊技場における会員番号と暗証番号を再度入力する必要があり、不便であるという問題が有った。
【０００７】
また、特許文献２のように機種トータルデータを表示することは、会員が、自身が遊技を実施している機種における自分の遊技履歴に基づいた統合履歴を簡便に把握でき、会員の利便性を向上できるが、近年にあっては、前述したように、遊技者は複数の遊技場において会員となっている場合が多く、そのため、これら会員となっている各遊技場において、お気に入りの同一機種を遊技する状況が多くあり、よって、会員としては、来場している遊技場における自分の遊技履歴に基づいた当該機種の統合履歴のみでなく、自分が会員となっている他の遊技場の同一機種における遊技履歴を含んだ統合履歴を把握したいという希望があるが、これらの自分が会員となっている複数の遊技場における同一機種における遊技履歴を含んだ統合履歴を把握したい場合には、各遊技場に出向いて、各機種における自分の遊技履歴に基づいた統合履歴を取得し、該取得した各遊技場毎の統合履歴を自身で統合する必要があり、非常に面倒であるという問題があった。
【０００８】
本発明は、このような問題点に着目してなされたもので、会員が複数の遊技場において会員となっている場合において、複数の遊技場における貯玉数等の会員利用関連情報を確認する場合における不便性や、同一機種の複数の遊技場における遊技履歴を含んだ統合履歴を把握する場合における不便性を解消することのできる会員サービス提供装置を提供することを目的とする。
【課題を解決するための手段】
【０００９】
上記課題を解決するために、本発明の請求項１に記載の会員サービス提供装置は、
複数の遊技場において会員登録した会員に対して当該会員が会員となっている各遊技場における当該会員に関する情報の提供サービスを行うための会員サービス提供装置であって、
複数の各遊技場を個々に識別可能な遊技場識別情報並びに該遊技場における各会員を個々に識別可能な会員識別情報に対応付けて、当該会員の会員属性情報並びに当該遊技場の利用に関連して発生した会員利用関連情報並びに当該会員が遊技した遊技機の機種を特定可能な機種特定情報と該会員の当該遊技機における遊技に関連して発生した遊技関連情報とを含む遊技履歴情報を記憶するための会員関連情報記憶手段と、
会員が操作可能な情報端末から当該会員が会員となっているいずれか１つの遊技場における会員識別情報を特定可能な会員識別情報特定情報または該会員識別情報特定情報に加えて機種特定情報を少なくとも受付ける会員識別情報受付け手段と、
前記会員識別情報受付け手段にて会員識別情報特定情報を受付けたとき、該受付けた会員識別情報特定情報並びに前記会員関連情報記憶手段に記憶されている情報に基づいて、該受付けた会員識別情報特定情報から特定される会員識別情報が対応する遊技場以外の遊技場の遊技場識別情報と当該遊技場における当該会員の会員識別情報とを全て特定する他遊技場会員識別情報特定手段と、
前記会員識別情報受付け手段にて受付けた会員識別情報特定情報から特定される会員識別情報と該会員識別情報が対応する遊技場の遊技場識別情報とに対応付けて前記会員関連情報記憶手段に記憶されている会員利用関連情報、並びに前記他遊技場会員識別情報特定手段にて特定された遊技場識別情報と会員識別情報とに対応付けて前記会員関連情報記憶手段に記憶されている会員利用関連情報を抽出する抽出手段と、
前記抽出手段にて抽出された会員利用関連情報を前記情報端末或いは会員が指定した配信先に配信する会員利用関連情報配信手段と、
前記会員識別情報受付け手段において、前記会員識別情報特定情報に加えて機種特定情報を含む遊技履歴情報送信要求を受付けたときには、該遊技履歴情報送信要求に含まれる会員識別情報特定情報から特定される会員識別情報と該会員識別情報が対応する遊技場の遊技場識別情報とに対応付けて前記会員関連情報記憶手段に記憶されている遊技履歴情報、並びに前記他遊技場会員識別情報特定手段にて特定された全ての遊技場識別情報と会員識別情報とに対応付けて前記会員関連情報記憶手段に記憶されている遊技履歴情報の内、該遊技履歴情報送信要求に含まれる機種特定情報を含む遊技履歴情報を抽出する遊技履歴抽出手段と、
前記遊技履歴抽出手段にて抽出された遊技履歴情報を統合して統合遊技履歴情報を生成する統合遊技履歴情報生成手段と、
前記統合遊技履歴情報生成手段にて生成された統合遊技履歴情報を、前記遊技履歴情報送信要求を行った前記情報端末或いは会員が指定した配信先に配信する統合遊技履歴情報配信手段と、
を備えることを特徴としている。
この特徴によれば、会員は、自身が会員となっている遊技場のいずれか１つの遊技場における会員識別情報特定情報を入力することで、当該会員が会員となっているその他の遊技場の遊技場識別情報と会員識別情報とが他遊技場会員識別情報特定手段にて特定され、該特定された遊技場識別情報と会員識別情報に対応付けて会員関連情報記憶手段に記憶されている会員利用関連情報が抽出されて会員利用関連情報配信手段により配信されるようになるため、会員は、複数の遊技場における会員利用関連情報を確認する場合に、当該確認したい遊技場における会員識別情報等を一々入力する必要がなく、よって、これら複数の遊技場における会員利用関連情報を確認する場合における会員の不便性を解消することができるとともに、会員関連情報記憶手段に各会員が各遊技場において遊技した遊技履歴情報が各遊技場における会員識別情報に対応付けて記憶、管理され、これら記憶されている遊技履歴情報から、前記機種特定情報から特定される機種における遊技履歴情報が抽出され、該抽出された遊技履歴情報から統合遊技履歴情報が生成されて情報端末または会員が指定した配信先に配信されるようになるため、会員は、自身が会員となっている複数の遊技場の当該機種における自身の遊技履歴に基づいた統合遊技履歴を簡便に把握することができ、これら統合遊技履歴を把握する場合における会員の不便性を解消することができる。
【００１０】
本発明の請求項２に記載の会員サービス提供装置は、請求項１に記載の会員サービス提供装置であって、
前記他遊技場会員識別情報特定手段は、前記会員識別情報受付け手段にて受付けた会員識別情報特定情報から特定される会員識別情報に対応付けて前記会員関連情報記憶手段に記憶されている会員属性情報と同一の会員属性情報に対応付けて該会員関連情報記憶手段に記憶されている会員識別情報と遊技場識別情報とから、該受付けた会員識別情報が対応する遊技場以外の遊技場の遊技場識別情報と当該遊技場における当該会員の会員識別情報とを特定することを特徴としている。
この特徴によれば、他遊技場会員識別情報特定手段が会員属性情報を用いることで、各会員が会員となっている遊技場の遊技場識別情報と当該遊技場における当該会員の会員識別情報とを、比較的簡便かつ精度良く特定できる。
【００１１】
本発明の請求項３に記載の会員サービス提供装置は、請求項２に記載の会員サービス提供装置であって、
前記会員関連情報記憶手段に同一の会員属性情報に対応付けて記憶されている遊技場識別情報を抽出する遊技場抽出手段を備え、
前記会員関連情報記憶手段は、前記遊技場抽出手段にて抽出された遊技場識別情報と会員属性情報とを対応付けて記憶するための遊技場識別情報記憶手段を含み、
前記他遊技場会員識別情報特定手段は、前記会員識別情報受付け手段にて受付けた会員識別情報特定情報から特定される会員識別情報と当該会員識別情報が対応する遊技場の遊技場識別情報とに対応付けて前記会員関連情報記憶手段に記憶されている会員属性情報を特定し、該特定した会員属性情報に対応付けて前記遊技場識別情報記憶手段に記憶されている遊技場識別情報と、当該遊技場識別情報と前記特定した会員属性情報とに対応付けて前記会員関連情報記憶手段に記憶されている会員識別情報とから、該受付けた会員識別情報が対応する遊技場以外の遊技場の遊技場識別情報と当該遊技場における当該会員の会員識別情報とを特定することを特徴としている。
この特徴によれば、予め前記会員関連情報記憶手段に同一の会員属性情報に対応付けて記憶されている遊技場識別情報が抽出されて、該抽出された遊技場識別情報と会員属性情報とが対応付けて前記遊技場識別情報記憶手段に記憶されることから、前記他遊技場会員識別情報特定手段が、当該会員が会員となっているその他の遊技場を特定するための処理時間や処理負荷を大幅に低減することができる。
【００１２】
本発明の請求項４に記載の会員サービス提供装置は、請求項１に記載の会員サービス提供装置であって、
前記会員関連情報記憶手段は、各会員の会員属性情報に対応付けて、当該会員が会員となっている個々の遊技場における会員識別情報と当該会員識別情報が対応する遊技場の遊技場識別情報とを記憶するための会員識別情報記憶手段を含み、
前記他遊技場会員識別情報特定手段は、前記会員識別情報受付け手段にて受付けた会員識別情報特定情報から特定される会員識別情報に対応付けて前記会員識別情報記憶手段に記憶されている当該会員識別情報が対応する遊技場識別情報から、該受付けた会員識別情報が対応する遊技場以外の遊技場の遊技場識別情報と当該遊技場における当該会員の会員識別情報とを特定することを特徴としている。
この特徴によれば、各会員の会員属性情報に対応付けて当該会員の会員識別情報と該会員識別情報が対応する遊技場の遊技場識別情報とが記憶される前記会員識別情報記憶手段を備えることで、前記他遊技場会員識別情報特定手段が、当該会員が会員となっているその他の遊技場並びに当該遊技場における当該会員の会員識別情報を特定するための処理時間や処理負荷を大幅に低減することができる。
【００１３】
本発明の請求項５に記載の会員サービス提供装置は、請求項１〜４のいずれかに記載の会員サービス提供装置であって、
前記遊技履歴抽出手段にて抽出された遊技履歴情報を、当該抽出された遊技履歴情報が対応する遊技場別に前記遊技履歴情報送信要求を行った前記情報端末或いは会員が指定した配信先に配信する遊技場別遊技履歴情報配信手段を備えることを特徴としている。
この特徴によれば、会員は、自身が会員となっている複数の遊技場の統合遊技履歴に加え、これら、自身が会員となっている各遊技場の当該同一機種における遊技履歴を、各遊技場毎に容易に確認することができる。
【００１４】
本発明の請求項６に記載の会員サービス提供装置は、請求項１〜６のいずれかに記載の会員サービス提供装置であって、
前記統合遊技履歴情報生成手段は、前記遊技履歴抽出手段にて抽出された遊技履歴情報を、当該抽出された遊技履歴情報が対応する遊技場別に対比可能な比較表示データ形式に加工する比較表示データ加工手段を含み、
前記比較表示データ加工手段にて加工された比較表示データ形式の遊技履歴情報を、前記遊技履歴情報送信要求を送信してきた前記情報端末或いは会員が指定した配信先に配信する比較表示データ配信手段を備えることを特徴としている。
この特徴によれば、会員は、自身が会員となっている各遊技場の当該同一機種における統合遊技履歴が、各遊技場別に対比可能な比較表示データ形式にて配信されるようになるため、これら会員となっている各遊技場における同一機の遊技履歴の比較を容易に実施できるようになり、会員の利便性を向上できる。
【００１５】
本発明の請求項７に記載の会員サービス提供装置は、請求項１〜５のいずれかに記載の会員サービス提供装置であって、
前記遊技履歴情報送信要求に含まれる会員識別情報特定情報から特定される会員識別情報並びに前記他遊技場会員識別情報特定手段にて特定された全ての会員識別情報に対応付けて前記会員関連情報記憶手段に記憶されている会員利用関連情報に含まれる遊技履歴情報の内、該遊技履歴情報送信要求に含まれる機種特定情報を含まない他機種遊技履歴情報を抽出する他機種遊技履歴情報抽出手段と、
前記他機種遊技履歴情報抽出手段にて抽出された他機種遊技履歴情報を各機種毎に統合して他機種統合遊技履歴情報を生成する他機種統合遊技履歴情報生成手段と、
前記他機種統合遊技履歴情報生成手段にて生成された各機種毎の他機種統合遊技履歴情報を、前記遊技履歴情報送信要求を送信してきた前記情報端末或いは会員が指定した配信先に配信する他機種統合遊技履歴情報配信手段と、
を備えることを特徴としている。
この特徴によれば、会員は、遊技履歴情報送信要求に含まれる機種特定情報から特定される自身が希望する機種の統合遊技履歴のみならず、他の機種の統合遊技履歴を容易に確認できるようになり、会員の利便性を更に向上できる。
【発明を実施するための最良の形態】
【００１６】
本発明の実施例を以下に説明する。
【実施例１】
【００１７】
本発明の会員サービス提供装置が適用された本実施例の遊技用システムは、図１に示すように、遊技場内に設置され、遊技場において複数配置された遊技島に並設される遊技機としてのカードリーダ式パチンコ機（以下パチンコ機）２に対して１対１に設置される本発明の情報端末としてのカードユニット３と、各遊技場に設置され、当該遊技場において会員登録した会員遊技者に関する情報を収集、管理する会員管理コンピュータ１２０と、これら各遊技場に設置された会員管理コンピュータ１２０に通信回線１１を通じて双方向にデータ通信可能に接続され、各遊技場の会員管理コンピュータ１２０から送信される会員登録情報や貯玉情報や遊技履歴データ等を含む会員遊技履歴情報や台情報や会員別使用度数情報の受信に基づいて、各遊技場別に会員遊技者の属性情報や所有ポイント、並びに貯玉数や遊技履歴等の遊技関連情報や台情報等を集中管理する、カード管理会社に設置された本発明における会員サービス提供装置を成す管理サーバ１４０と、から主に構成されている。
【００１８】
各遊技場に設置されている会員管理コンピュータ１２０には、図１に示すように、前記カードユニット３をはじめ、会員遊技者が遊技にて獲得したパチンコ玉を計数して再度遊技に使用可能とするための玉計数器４０や、当該カードユニット３にて使用される会員用記録媒体である会員カード、並びにプリペイドカードであるビジターカードに記録されている遊技用価値である度数｛本実施例では金額を１００で除算した値（１００円＝１度数）｝の管理等を行うシステムコントローラ１００が、通信ケーブル８を介して接続されており、カードユニット３からは、当該カードユニット３に会員カードが挿入されたことを示す当該挿入された会員カードから読み出した会員ＩＤを含む会員カード受付け通知や対応するパチンコ機２における台データ等の各種情報が送信され、玉計数器４０からは、会員カードから読み出された会員識別情報である会員ＩＤと計数したパチンコ玉数の情報が送信され、システムコントローラ１００からは、各会員カードへの使用度数等の情報が送信される。
【００１９】
また、各遊技場に設置されている該システムコントローラ１００も、ルータ５並びに通信回線１１を通じてカード管理会社に設置されている管理サーバ１４０に接続されており、該管理サーバ１４０において、各遊技場にて使用される会員カードやビジターカードに残存する度数等の各カードに関する情報が管理されている。
【００２０】
カードユニット３は、対応するパチンコ機２と直接、及び中継端末４を介して接続されており、カードユニット３と対応するパチンコ機２との間で各種信号の送受が可能とされているとともに、対応するパチンコ機２等から出力された各種遊技情報を示す信号が中継端末４を介して対応するカードユニット３に入力されるようになっており、これら入力された各信号に基づいて台データ、具体的には、始動回数、大当り回数、確変回数、打込玉数、供給玉数が会員管理コンピュータ１２０に送信されることで、該会員管理コンピュータ１２０において、各パチンコ機２において台データを把握できるようになっているとともに、該カードユニット３において会員カードの受付け中に生じた台データを、当該会員遊技者の遊技にて発生した遊技履歴として記憶、管理できるようになっている。
【００２１】
また、各カードユニット３は、システムコントローラ１００並びに会員管理コンピュータ１２０とハブ（ＨＵＢ）８’（図３参照）並びに通信ケーブル８を介して双方向のデータ通信可能に接続されていて、各接続機器にはそれぞれローカルＩＰアドレスが付与されてローカルエリアネットワーク（ＬＡＮ）が形成されていて、該ローカルエリアネットワーク（ＬＡＮ）に接続されているこれら各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤから特定される装置との各種データの送受信を実施できるようになっている。
【００２２】
この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２３】
カードユニット３の前面に設けられた会員カード挿入口３０９とビジターカード装着口３１０とは、遊技者から見て左右方向に並設配置されている。会員カード挿入口３０９は、内蔵される読み出し手段としてのカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２４】
カードユニット３の前面には、前方に突出する態様にて突出部３０５が設けられている。突出部３０５において、遊技者側に向けられた面には表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられている。
【００２５】
図３は、カードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２６】
カードリーダライタ３２７は、会員カードやビジターカードに記録されている会員識別情報である会員ＩＤや入金ＩＤや度数等の記録情報の読み出し並びに書き込みを行うとともに、ＨＵＢ８’を介してシステムコントローラ１００とデータ通信可能に接続されており、挿入された会員カードに記録された会員ＩＤや度数による認証や度数の確認等をシステムコントローラ１００との間で行う。
【００２７】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２８】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２９】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００３０】
制御ユニット３２８には、表示制御基板３２９を介して接続されたスイッチや表示器等の電子部品に加えて、紙幣識別ユニット３２１、硬貨識別ユニット３２２が接続されている。
【００３１】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３２】
また、制御ユニット３２８には、特に図示しないが、接続されたパチンコ機２に設けられ、パチンコ玉の貸出に使用できる度数（遊技用価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００３３】
また、制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御、並びに後述する玉貸処理や払戻処理等の各種処理を実行する。
【００３４】
また、制御ユニット３２８は、通信部３３４並びにＨＵＢ８’を介してローカルエリアネットワーク（ＬＡＮ）に接続されており、該ローカルエリアネットワーク（ＬＡＮ）を介して会員管理コンピュータ１２０やシステムコントローラ１００とデータ通信可能とされており、各種データの送受が可能とされている。また、対応するパチンコ機２とも接続されており、各種信号の送受が実施可能とされている。
【００３５】
この本実施例のカードユニット３において実施される各処理内容について簡潔に説明すると、まず、カードユニット３は、会員カード挿入口３０９に挿入された会員カードに対して利用の可／不可を判別する受付処理を行う。
【００３６】
また、制御ユニット３２８は、該受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００３７】
また、制御ユニット３２８は、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００３８】
また、制御ユニット３２８は、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１０に装着されているビジターカードに記録した後、この記録した度数の全てを使用して、対応するパチンコ機２に対して貸出要求を出力し、パチンコ玉の貸出を実施させる発行貸出処理を行う。
【００３９】
また、制御ユニット３２８は、会員遊技者が以前の遊技にて貯蓄した貯蓄玉数を、会員管理コンピュータ１２０から入手し、この入手した貯蓄玉数を使用して、対応するパチンコ機２に対して該入手した貯蓄玉数から特定される再プレイ回数の内、１回の再プレイに対応する数のパチンコ球の払出を要求する払戻要求を出力し、所定数のパチンコ玉の払い戻しを実施させる払戻処理を行う。
【００４０】
また、制御ユニット３２８は、カードユニット３と１対１に並設されたパチンコ機２が備える返却ボタンが遊技者により操作された場合に、受付け中の会員カードの返却を実施させる返却処理を行う。
【００４１】
次に、本実施例に用いた会員管理コンピュータ１２０について説明すると、本実施例の会員管理コンピュータ１２０は、図４に示すように、コンピュータ内部にてデータの送受を行うデータバス１２１に、該会員管理コンピュータ１２０が実施する各種処理等を行うＣＰＵ１２２、処理時の一時記憶領域等として使用されるＲＡＭ１２３、現在の時刻情報やカレンダ情報を出力するリアルタイムクロック（ＲＴＣ）１２４、磁気ディスクや光磁気ディスクから成る記憶装置１２５、キーボードやマウス等の入力装置１２６、各種情報を表示出力する表示装置１２７、各種情報をプリント出力するプリンタ１２８、カードユニット３や玉計数器４０やシステムコントローラ１００や管理サーバ１４０とのデータ通信を行う通信部１２９が接続された通常のコンピュータである。
【００４２】
また、記憶装置１２５には、会員管理コンピュータ１２０の処理を実施するための処理プログラムに加えて、各会員遊技者が所有する所有ポイント数を含む各会員遊技者に関する会員関連情報が記憶される会員情報テーブル（図５（ａ）参照）や、各会員遊技者の遊技によりパチンコ機２にて発生した当該会員遊技者の貯蓄玉数や収支等を含む遊技履歴を含む会員利用関連情報が記憶される会員別遊技履歴テーブル（図５（ｂ）参照）や、各カードユニット３に受付け中の会員カードの会員ＩＤや、各カードユニット３が対応するパチンコ機２の台データ等が記憶されるユニット管理テーブル（図５（ｃ）参照）や、当該会員管理コンピュータ１２０が設置された遊技場に固有に付与された遊技場ＩＤ等の情報が記憶されている。
【００４３】
この本実施例の会員情報テーブルには、図５（ａ）に示すように、各会員遊技者を個々に識別可能とするために、各会員遊技者に当該遊技場にて固有に付与された会員識別情報である会員ＩＤに対応付けて、本人確認に使用される暗証番号、当該会員が所有する価値の大きさとなる所有ポイント数と、当該会員がその当日において遊技に使用した度数の合計である本日総使用度数と、当該会員のその当日における来店の有無を示す本日来店と、来店回数と、会員の氏名（名字並びに名前）、性別、年齢、誕生日、職業、住所、電子メールアドレスからなる会員属性情報とが記憶されている。
【００４４】
また、本実施例の会員別遊技履歴テーブルには、図５（ｂ）に示すように、各会員遊技者の会員ＩＤに対応付けて、前記玉計数器４０にて計数されて再度の遊技に使用可能とされた貯蓄玉数と、会員遊技者がカードユニット３に会員カードを挿入してから当該会員カードを取り出すまでに実施した遊技を１回の遊技として、最近３ヶ月以内の遊技履歴が記憶されている。これら遊技履歴として具体的には、各会員ＩＤ毎に、来店日、遊技を実施したパチンコ機２の台番号並びに当該台番号のパチンコ機の機種名と、遊技の開始時間（会員カードの挿入時間）、遊技の終了時間（会員カードの返却時間）、開始時間と終了時間との差である遊技時間、対応するパチンコ機２における図示しない可変表示装置において可変表示が実施された回数である始動回数、該対応するパチンコ機２において発生した大当りの回数である大当回数、対応するパチンコ機２において発生した確変大当りの回数である確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、遊技場の勝敗とが記憶されている。
【００４５】
また、本実施例のユニット管理テーブルには、図５（ｃ）に示すように、遊技場内に設置された各カードユニット３を個々に識別可能とするために各カードユニット３に固有に付与された装置ＩＤに対応付けて、当該カードユニット３が設置されている遊技島の島番号と、当該カードユニット３の状況（待機中または受付中）と、当該カードユニット３が対応するパチンコ機２の機種名と、該対応するパチンコ機２の台番号と、会員カードを受付け中の場合には受付け中の会員カードの会員ＩＤが記憶される受付会員ＩＤと、対応するパチンコ機２における台データが記憶されており、これら台データとしては、該対応するパチンコ機２における図示しない可変表示装置における始動回数の累計である総始動回数や、該対応するパチンコ機２において発生した大当りの回数である大当り回数や、該対応するパチンコ機２において発生した確変大当りの回数である確変回数や、当該カードユニット３が対応するパチンコ機２に供給された供給玉数や、当該カードユニット３が対応するパチンコ機２から排出された打込玉数や、打込玉数から供給玉数を差し引いた差玉数や、各大当りが発生する間における可変表示装置における始動回数である大当間始動回数１、大当間始動回数２…が記憶されている。このユニット管理テーブルには、カードユニット３から会員カードの受付けに基づいて送信される会員カード受付け通知（図１２参照）の受信により、該会員カード受付け通知に含まれる会員ＩＤが「受付会員ＩＤ」の項目に登録されることで、カードユニット３の装置ＩＤから、そのカードユニット３に受付け中の会員カードの会員ＩＤと、対応するパチンコ機２の機種名や台番号を特定できるようになっているとともに、会員ＩＤから当該会員ＩＤの会員カードを受付け中のカードユニット３の装置ＩＤを特定できるようになっている。また、このユニット管理テーブルにおける装置ＩＤや設置島の島番号、対応機種名、対応台番号等の各データは、予め会員管理コンピュータ１２０に設定入力されることで記憶される。
【００４６】
また、本実施例の会員管理コンピュータ１２０のＣＰＵ１２２は、カードユニット３における再プレイ操作に基づいて該カードユニット３から送信される貯玉抽出要求の受信に基づいて、当該貯玉抽出要求に含まれる暗証番号を当該貯玉抽出要求に含まれる会員ＩＤに対応して前記会員情報テーブルに記憶されている暗証番号と照合し、当該照合が一致した場合において、前記会員別遊技履歴テーブルに当該会員ＩＤに対応付けて記憶されている貯蓄玉数をカードユニット３に返信して、当該貯蓄玉数の遊技への再使用を許諾する貯蓄玉数使用許諾処理を実施するとともに、該貯蓄玉数の遊技への再使用に供された貯蓄玉数の大きさを該貯蓄玉数の大きさから減算更新する（図１９参照）。
【００４７】
また、本実施例の会員管理コンピュータ１２０のＣＰＵ１２２は、前記玉計数器４０から送信される計数情報の受信に基づいて、当該受信した計数情報に含まれる会員ＩＤに対応して前記会員別遊技履歴テーブルに記憶されている貯蓄玉数の大きさに、当該受信した計数情報に含まれる計数玉数の大きさを加算更新する貯蓄玉数更新処理を実施するとともに、該貯蓄玉数更新処理による加算更新後の新たな貯蓄玉数の大きさと、会員ＩＤ並びに遊技場ＩＤとを含む貯玉情報を管理サーバ１４０に送信する貯玉情報送信処理を実施する（図１０参照）。
【００４８】
また、本実施例の会員管理コンピュータ１２０のＣＰＵ１２２は、カードユニット３に新たに会員カードが受付けられたことに基づいて、当該カードユニット３から送信される会員カード受付け通知の受信に基づき、当該会員カード受付け通知に含まれる新たに受付けた会員カードから読み出した会員ＩＤに対応する前記会員別遊技履歴テーブルの今回のデータを前回のデータに、前回のデータを２回前のデータというように、それぞれの遊技履歴の回数の更新を実施するともに、今回の遊技履歴への記憶（更新）を開始して、当該会員遊技者の遊技において発生する遊技履歴を記憶し、前記カードユニット３における返却操作に基づいて、カードユニット３から送信される返却通知に前記にて記憶を開始した会員ＩＤが含まれる場合において、今回の遊技履歴への記憶（更新）を終了し、当該遊技単位における勝敗を判定して記憶するとともに、該勝敗を記憶した遊技履歴となる遊技履歴データと、当該会員ＩＤに対応する貯蓄玉数の大きさと、会員情報テーブルに当該会員ＩＤに対応して記憶されている所有ポイントと来店回数と、会員ＩＤと遊技場ＩＤとを含む会員遊技関連情報を管理サーバ１４０に送信する会員遊技関連情報送信処理を実施する。尚、前記した今回の遊技履歴への記憶（更新）の開始に際しては、会員管理コンピュータ１２０からシステムコントローラ１００に対して当該更新する遊技履歴に対応する会員ＩＤを含む使用度数情報出力要求を送信することで、システムコントローラ１００から、当該送信した使用度数情報出力要求に含まれる会員ＩＤが記録された会員カードから度数の使用があった場合に、該使用度数の情報が送信されてくることで、遊技履歴の売上金額への加算更新並びに本日使用度数への加算更新が実施されるようになっている。
【００４９】
また、本実施例の会員管理コンピュータ１２０のＣＰＵ１２２は、前記会員遊技関連情報送信処理における会員遊技関連情報の送信に先だって、図１０に示すように、会員遊技関連情報送信要求を管理サーバ１４０に対して送信する会員遊技関連情報送信要求送信処理を実施する。
【００５０】
また、本実施例の会員管理コンピュータ１２０のＣＰＵ１２２は、カードユニット３に新たに会員カードが受付けられたことにより該カードユニット３から送信される会員カード受付け通知の受信に基づき、ユニット管理テーブルにおいて当該カードユニット３の装置ＩＤに対応する「状況」を更新し、受信した会員カード受付け通知に含まれる会員ＩＤを「受付会員ＩＤ」の項目に記憶するとともに、会員情報テーブルにおいて受信した該会員カード受付け通知に含まれる会員ＩＤに対応する所有ポイントや本日来店や来店回数の各データを更新する更新処理を実施し、さらに、受信した会員カード受付け通知に含まれる会員ＩＤと当該遊技場の遊技場ＩＤを含む総所有ポイント数情報送信要求を管理サーバ１４０に対して送信する総所有ポイント数情報送信要求送信処理を実施する（図１２参照）。具体的には、本日来店の更新は、本日来店のデータ（営業開始時前の起動時において全て「０」にリセットされている）が未来店を示す「０」である場合に「１」に更新するとともに、該「１」に更新することに伴って対応する来店回数に１を加算するとともに所定のポイント数を所有ポイントに加算更新するようになっており、一日に一回に限り来店によるポイント数の加算と来店回数の加算が実施される。
【００５１】
また、本実施例の会員管理コンピュータ１２０のＣＰＵ１２２は、カードユニット３から送信され、前記中継端末４を介して入力される各種信号の入力状況に基づく遊技関連情報（台データ）の受信に基づいて、前記ユニット管理テーブルの各遊技関連情報（台データ）を更新するユニット管理テーブル更新処理を実施する。
【００５２】
また、本実施例の会員管理コンピュータ１２０のＣＰＵ１２２は、前記ユニット管理テーブルに記憶している各カードユニット３が対応するパチンコ機２の台データ（具体的には、始動回数、大当り回数、確変回数、打込玉数、供給玉数、差玉数）と台番号と、当該遊技場の遊技場ＩＤとを含む台情報を、管理サーバ１４０に対して送信する台情報送信処理を実施する（図１０参照）。
【００５３】
また、本実施例の会員管理コンピュータ１２０のＣＰＵ１２２は、前記台情報送信処理における台情報の送信に先だって、図１０に示すように、台情報送信要求を、管理サーバ１４０に対して送信する台情報送信要求送信処理を実施する。
【００５４】
また、本実施例の会員管理コンピュータ１２０のＣＰＵ１２２は、営業終了後の所定時間において、会員情報テーブルにおける各会員遊技者の会員ＩＤと該会員遊技者の本日総使用度数の情報と当該遊技場の遊技場ＩＤとを含む会員別使用度数情報を管理サーバ１４０に対して送信する会員別使用度数情報送信処理を実施する。
【００５５】
また、本実施例の会員管理コンピュータ１２０のＣＰＵ１２２は、カードユニット３から後述する遊技場別ポイント数情報送信要求、他遊技場選択受付け情報、選択遊技場情報、統合履歴データ送信要求、比較表示データ送信要求、機種情報送信送信要求、他機種統合履歴データ送信要求、遊技場情報送信要求、遊技場別履歴データ送信要求の受信に基づいて、これら各送信要求に含まれる装置ＩＤから、当該装置ＩＤから特定されるカードユニット３に受付け中の会員ＩＤや機種名や台番号等をユニット管理テーブルを用いて特定し、これら特定した会員ＩＤ等の各種のデータを装置ＩＤに代えて含む各種の要求や情報を管理サーバ１４０に対して送信（中継）する中継処理を実施する。
【００５６】
また、本実施例の会員管理コンピュータ１２０のＣＰＵ１２２は、前記管理サーバ１４０から後述する総所有ポイント数情報や遊技場別ポイント数情報、遊技場情報、他店遊技情報、統合履歴情報、比較表示情報、機種情報、他機種統合履歴情報、遊技場情報、遊技場別履歴情報の受信に基づいて、当該受信した各情報に含まれる会員ＩＤから、該会員ＩＤが記録されている会員カードを受付け中のカードユニット３（移動後のカードユニット３であっても良い）を特定し、該特定したカードユニット３に、受信した各情報に含まれる総合ポイント数情報、遊技場別ポイント数情報、統合履歴データや比較表示データ、機種データ、他機種統合履歴データ、遊技場データ、遊技場別履歴データを中継する中継処理を実施する。
【００５７】
また、本実施例の会員管理コンピュータ１２０のＣＰＵ１２２は、新規の会員登録を実施するための所定操作がなされた場合において、図９に示す会員登録画面を表示装置１２７に表示して、新たに会員登録する会員遊技者に関する会員属性情報の入力を受付ける会員属性情報入力処理を実施し、当該新規会員遊技者に会員ＩＤを付与するとともに、当該付与した会員ＩＤに対応付けて、該会員登録画面にて受付けた会員属性情報を前記会員情報テーブルに記憶する会員属性情報記憶処理を実施した後、当該新たに会員情報テーブルに記憶した会員ＩＤと会員属性情報とを含む会員登録情報を管理サーバ１４０に送信する会員登録情報送信処理を実施する。
【００５８】
この本実施例に用いた会員登録画面には、図９に示すように、前記会員情報テーブルに記憶（登録）される各種会員属性情報である会員の氏名（名字並びに名前）、性別、年齢、誕生日、職業、住所、電子メールアドレス等を入力するための入力部が設けられており、該入力部に対応する属性情報をそれぞれ入力した後に、画面下方の「登録」の選択入力部を選択することで、前記会員属性情報記憶処理並びに前記会員登録情報送信処理が実施される。
【００５９】
次いで、本発明における会員サービス提供装置となる管理サーバ１４０の構成について説明すると、管理サーバ１４０は、図６に示すように、コンピュータ内部にてデータの送受を行うデータバス１４１に、該管理サーバ１４０が実施する各遊技場にて使用される会員カードやビジターカードに残存する度数や使用度数、発行度数や入金度数の管理を行うための処理や、記憶装置１４５に記憶されているデータベースや各テーブルを更新する処理、並びに抽出した遊技履歴を統合して統合履歴を生成する処理等の後述する各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線１１を通じて各遊技場に設置されたルータ５を介して、当該遊技場に設置されたシステムコントローラ１００や会員管理コンピュータ１２０等の各装置とのデータ通信を行うためのデジタルサービスユニット（ＤＳＵ）１４８とが接続された処理能力に優れたサーバ用のコンピュータである。
【００６０】
また、記憶装置１４５には、管理サーバ１４０が実施する各種処理内容が記述された処理プログラムに加えて、会員カードやビジターカードに残存する度数や入金額等のデータ等が記憶されるカード管理データベース（ＤＢ）や、図７（ａ）に示す本発明における会員関連情報記憶手段となる遊技場別会員情報データベース（ＤＢ）や、図７（ｂ）に示す本発明における会員関連情報記憶手段となる遊技場別会員遊技履歴テーブルや、図８（ａ）に示す遊技場別台情報テーブルや、図８（ｂ）に示す遊技場情報テーブル、並びに図８（ｃ）に示す会員別所有ポイント数テーブルが記憶されている。つまり、本実施例における遊技場別会員情報データベースや遊技場別会員遊技履歴テーブルには、複数の各遊技場を個々に識別可能な遊技場ＩＤ並びに該遊技場における各会員遊技者を個々に識別可能な会員ＩＤに対応付けて、当該会員の会員属性情報である電子メールアドレス並びに当該遊技場の利用に関連して発生した会員利用関連情報となる所有ポイント数、来店回数、貯蓄玉数等の情報並びに当該会員遊技者が遊技した遊技機（パチンコ機２）の機種を特定可能な機種特定情報となる機種名と該会員遊技者の当該遊技機における遊技に関連して発生した遊技関連情報となる遊技開始時間、遊技終了時間、遊技時間、始動回数等のとを含む遊技履歴が記憶されており、これら遊技場別会員情報データベースや遊技場別会員遊技履歴テーブルによって本発明における会員関連情報記憶手段が形成されている。
【００６１】
本実施例における遊技場別会員情報データベースには、図７（ａ）に示すように、個々の遊技場毎に、各遊技場において会員登録した会員遊技者の会員ＩＤに対応付けて、当該会員遊技者の暗証番号と、所有ポイントと、来店回数と、会員の氏名（名字並びに名前）、性別、年齢、誕生日、職業、住所、電子メールアドレスから成る会員属性情報が記憶されており、これら遊技場別会員情報データベースの記憶データは、前記会員管理コンピュータ１２０から送信される会員登録情報や、会員遊技関連情報や、会員別使用度数情報の受信に基づいて更新記憶される。
【００６２】
また、本実施例の遊技場別会員遊技履歴テーブルには、図７（ｂ）に示すように、各遊技場の遊技場ＩＤに対応付けて、各遊技場において会員登録した会員遊技者の会員ＩＤが記憶されているとともに、これら各会員ＩＤ毎に、当該会員遊技者の貯蓄玉数とともに、来店日、遊技を実施したパチンコ機２の台番号並びに該台番号のパチンコ機の機種名と、遊技の開始時間（会員カードの挿入時間）、遊技の終了時間（会員カードの返却時間）、開始時間と終了時間との差である遊技時間、始動回数、大当回数、確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、遊技場の勝敗とから成る遊技履歴とが記憶されており、これらの記憶データは、当該遊技場ＩＤに対応する遊技場に設置されている前記会員管理コンピュータ１２０から送信される会員遊技関連情報に基づいて更新される。
【００６３】
また、本実施例の遊技場別台情報テーブルには、図８（ａ）に示すように、各遊技場の遊技場ＩＤに対応付けて、各遊技場に設置されている遊技機であるパチンコ機２の台番号と、当該パチンコ機２の機種名と、総始動回数と、大当り回数と、確変回数と、供給玉数と、打込玉数並びに差玉数とが記憶されており、これらの記憶データは、当該遊技場ＩＤに対応する遊技場に設置されている前記会員管理コンピュータ１２０から送信される台情報に基づいて更新される。尚、これら遊技場別台情報テーブルに記憶されている台番号と機種名の情報は、各遊技場に設置された会員管理コンピュータ１２０から予め送信されることで、遊技場別台情報テーブルに各遊技場の遊技場ＩＤに対応付けて記憶される。
【００６４】
また、本実施例の遊技場情報テーブルには、図８（ｂ）に示すように、各遊技場の遊技場ＩＤに対応付けて、当該遊技場において会員遊技者に発行される会員カードに記録される会員ＩＤの範囲である対応会員ＩＤと、当該遊技場の遊技場名や、所在地、並びに前記ＤＳＵ１４８並びに通信回線１１を通じて各遊技場に設置されたシステムコントローラ１００や会員管理コンピュータ１２０との通信接続を実施するための接続用情報である回線番号が記憶されている。
【００６５】
また、本実施例の会員別所有ポイントテーブルには、図８（ｃ）に示すように、各会員の氏名並びに電子メールアドレスに対応付けて、当該会員遊技者が会員となっている各遊技場の遊技場ＩＤと該遊技場における当該会員遊技者の会員ＩＤとが記憶されているとともに、これら各遊技場の会員ＩＤに対応付けて、当該遊技場に設置されている会員管理コンピュータ１２０から送信される会員別使用度数情報により付与され、当該遊技場において該会員遊技者の所有となった価値である所有ポイント数（遊技場別会員情報データベースに記憶されている所有ポイントと同一）が記憶されているとともに、各遊技場における所有ポイント数の合計である総所有ポイント数が集計されて記憶されている。
【００６６】
この本実施例の管理サーバ１４０のＣＰＵ１４２は、会員管理コンピュータ１２０における前記会員登録情報送信処理にて送信される会員登録情報の受信に基づいて、前記遊技場別会員情報データベースにおいて当該受信した会員登録情報に含まれる会員ＩＤに該当する遊技場を遊技場情報テーブルの記憶データに基づいて特定し、該特定した遊技場の記憶データに、当該受信した会員登録情報に含まれる会員ＩＤと会員属性情報とを記憶（登録）する会員関連情報記憶処理を実施する（図１０参照）。
【００６７】
また、本実施例の管理サーバ１４０のＣＰＵ１４２は、前記会員管理コンピュータ１２０からの会員登録情報の受信による前記会員関連情報記憶処理の実施、具体的には会員ＩＤの新規登録に基づいて、該新規登録された会員ＩＤに対応付けて新たに記憶（登録）された会員属性情報である氏名と電子メールと、同一の氏名と電子メールとが会員別所有ポイント数テーブルに記憶されている場合には、該氏名と電子メールアドレスに対応付けて新規登録した会員ＩＤと該会員ＩＤが該当する遊技場の遊技場ＩＤ（具体的には、遊技場情報テーブルにて特定される）とを記憶（登録）して会員別所有ポイント数テーブルを更新する会員別所有ポイント数テーブル更新処理を実施する。
【００６８】
また、本実施例の管理サーバ１４０のＣＰＵ１４２は、後述する図２３に示す登録遊技場特定テーブルを使用する場合においては、例えば、前記会員登録情報の受信による前記会員関連情報記憶処理の実施後等において、遊技場別会員情報データベースに同一の会員属性情報となる電子メールアドレスに対応付けて記憶されている遊技場ＩＤを全て抽出する遊技場抽出処理を実施し、当該抽出した遊技場ＩＤを当該遊技場ＩＤの抽出に用いた会員属性情報となる電子メールアドレスに対応付けて本発明における遊技場識別情報記憶手段となる登録遊技場特定テーブルに記憶する。つまり、本実施例の遊技場抽出処理においては、会員関連情報記憶手段となる遊技場別会員情報データベースに同一の会員属性情報となる電子メールアドレスに対応付けて記憶されている遊技場ＩＤ（遊技場識別情報）を抽出しており、該遊技場抽出処理を実施するＣＰＵ１４２により本発明における遊技場抽出手段が形成されている。
【００６９】
また、本実施例の管理サーバ１４０のＣＰＵ１４２は、会員管理コンピュータ１２０における前記貯玉情報送信処理にて送信される貯玉情報の受信に基づいて、当該貯玉情報に含まれる遊技場ＩＤ並びに会員ＩＤに対応付けて前記遊技場別会員遊技履歴テーブルに記憶されている貯蓄玉数を更新する貯蓄玉数更新処理を実施する。（図１０参照）
【００７０】
また、本実施例の管理サーバ１４０のＣＰＵ１４２は、会員管理コンピュータ１２０における前記会員遊技関連情報送信処理にて送信される会員遊技関連情報の受信により、当該受信した会員遊技関連情報に含まれる遊技履歴データ並びに貯蓄玉数の大きさとに基づいて、該受信した会員遊技関連情報に含まれる会員ＩＤと遊技場ＩＤに対応付けて前記遊技場別会員遊技履歴テーブルに記憶されている遊技履歴データ並びに貯蓄玉数の大きさを更新するとともに、当該受信した会員遊技関連情報に含まれる所有ポイントと来店回数とを、前記遊技場別会員情報データベースにおいて、該受信した会員遊技関連情報に含まれる遊技場ＩＤと会員ＩＤとに対応する所有ポイント並びに来店回数に更新記憶する会員遊技関連情報更新処理を実施する。（図１０参照）
【００７１】
また、本実施例の管理サーバ１４０のＣＰＵ１４２は、会員管理コンピュータ１２０における前記台情報送信処理にて送信される台情報の受信に基づいて、当該受信した台情報に含まれる台番号とその台の台データに基づいて、遊技場別台情報テーブルを更新する遊技場別台情報テーブル更新処理を実施する（図１０参照）。
【００７２】
また、本実施例の管理サーバ１４０のＣＰＵ１４２は、会員管理コンピュータ１２０における前記会員別使用度数情報送信処理にて送信される会員別使用度数情報の受信に基づいて、当該会員別使用度数情報に含まれる各会員ＩＤと使用度数の情報に応じて新たに付与するポイント数、例えば使用度数１０度数毎に１ポイントを付与するものとして、使用度数が５０度数であれば５ポイントを付与するポイント数として決定し、該決定したポイント数を、当該会員ＩＤ並びに該会員別使用度数情報に含まれる遊技場ＩＤとに対応付けて前記会員別所有ポイントテーブルに記憶されている所有ポイント数に加算更新するポイント付与処理を実施する（図１０参照）。
【００７３】
また、本実施例の管理サーバ１４０のＣＰＵ１４２は、所定操作に基づいて前記表示装置１４６に図１１に示す抽選設定画面を表示して、抽選イベントに関する設定を受付けて、該受付けた内容の抽選イベントを設定する抽選イベント設定受付け処理を実施する。
【００７４】
この本実施例に用いた抽選設定画面には、図１１に示すように、抽選を実施する日時を設定するための抽選実施日時の項目と、カードユニット３（後述する実施例２においてはやサイトサーバ１４）において会員遊技者から抽選への参加受付けを実施するか否かを設定するための抽選参加受付けの項目と、抽選参加受付けの項目において「する」を選択指定した場合においてアクティブ（設定可能）となり、抽選への参加を受付ける期間を設定するための参加受付け期間の項目と、抽選への参加１口に必要とする所有ポイント数を設定するための参加必要ポイント数と、各賞級の総当選者数の項目とが設けられており、これらの各項目において実施したい抽選の内容を設定した後、画面下方の「設定」の選択入力部を選択入力して、当該設定内容が記憶されることで設定が実施される。尚、該抽選設定画面における抽選参加受付けの項目にて、「しない」を選択指定した場合においては、会員遊技者からの参加受付けに依ることなく、一義的に会員遊技者が所有する総所有ポイント数から参加口数が決定され、該参加口数に基づく抽選が実施されるようになる。
【００７５】
以下、本実施例の遊技場システムの動作状況について以下に説明すると、まず、会員遊技者が、カードユニット３の会員カード挿入口３０９に会員カードを挿入すると、カードリーダライタ３２７が、該挿入された会員カードから会員ＩＤ、度数、入金（プリペイド）ＩＤとを読み出して一時記憶するとともに、会員ＩＤ、度数、装置ＩＤ、入金（プリペイド）ＩＤとを含む使用許諾要求を前記システムコントローラ１００へ送信する。
【００７６】
システムコントローラ１００は、該使用許諾要求の受信に基づき、受信した会員ＩＤ並びに入金ＩＤとに対応して登録管理されている残存度数の照合や使用不可フラグの登録の有無に基づく認証を実施し、認証がＯＫであれば使用許諾をカードユニット３（カードリーダライタ３２７）に返信する使用可否の判定処理を実施する。
【００７７】
前記カードユニット３（カードリーダライタ３２７）が使用許諾を受信した場合には、挿入された会員カードを使用可能とし、前記読み出した会員ＩＤと度数とを制御ユニット３２８に出力することで、制御ユニット３２８は、図１２に示すように、会員管理コンピュータ１２０に対して会員ＩＤと装置ＩＤとを含む会員カード受付け通知を通信部３３４より送信する。
【００７８】
該会員カード受付け通知の受信に基づいて会員管理コンピュータ１２０（ＣＰＵ１２２）は、受信した会員カード受付け通知に含まれる装置ＩＤに対応するユニット管理テーブルにおける各データ、具体的には、「状況」データを「受付中」に、「受付会員ＩＤ」のデータに受信した会員ＩＤを更新記憶するとともに、会員情報テーブルにおいて受信した当該会員ＩＤに対応する所有ポイントや本日来店や来店回数を更新する更新処理を実施する。
【００７９】
そして会員管理コンピュータ１２０（ＣＰＵ１２２）は、受信した会員カード受付通知に含まれる会員ＩＤと当該遊技場の遊技場ＩＤ並びに総所有ポイント数の送信を要求する旨とを含む総所有ポイント数情報送信要求を管理サーバ１４０に対して送信する。
【００８０】
この総所有ポイント数情報送信要求の受信に応じて管理サーバ１４０（ＣＰＵ１４２）は、受信した総ポイント数情報送信要求に含まれる遊技場ＩＤと会員ＩＤとに対応付けて遊技場別会員情報データベースに記憶されている氏名と電子メールアドレスを特定し、前記会員別所有ポイント数テーブルにおいて、該特定した氏名並びに電子メールアドレスに対応付けて記憶されている総所有ポイント数を特定する。
【００８１】
そして、該特定した総所有ポイント数が、図１１に示す抽選設定画面において、その時点において参加を受付け中に設定されている抽選イベントへの参加に必要なポイント数以上（本実施例では１０Ｐ以上）である場合において、該総所有ポイント数と、前記抽選イベントへの参加に必要なポイント数（本実施例では１０Ｐ）とに基づいて、該会員遊技者が抽選イベントへの参加に申し込み可能な参加可能口数を特定し、該特定した参加可能口数と前記特定した総所有ポイント数と、受信した総所有ポイント数情報送信要求に含まれる会員ＩＤと含む総所有ポイント数情報を、受信した総所有ポイント数情報送信要求の送信元の会員管理コンピュータ１２０に対して送信する。
【００８２】
この総所有ポイント数情報送信要求を受信した会員管理コンピュータ１２０（ＣＰＵ１２２）は、受信した総所有ポイント数情報に含まれる会員ＩＤが記録されている会員カードを受付け中のカードユニット３を、ユニット管理テーブルの記憶データ、つまりは、受信した会員ＩＤと同一の会員ＩＤが「受付会員ＩＤ」のデータとして記憶されている装置ＩＤから特定し、該特定したカードユニット３（制御ユニット３２８）に受信した総所有ポイント数情報を中継する。
【００８３】
該中継された総所有ポイント数情報を受信したカードユニット３（制御ユニット３２８）は、受信した総所有ポイント数情報に含まれる総所有ポイント数と参加口数と含む、図１３（ａ）に示す抽選参加受付け画面を表示部３１２に表示する。
【００８４】
この本実施例における抽選参加受付け画面には、図１３（ａ）に示す如く、その画面下方部に、会員遊技者から抽選への参加を受付けるための「参加する」と「参加しない」の各選択入力部が設けられており、これら「参加する」と「参加しない」の各選択入力部の選択を会員遊技者から受付ける。
【００８５】
該抽選参加受付けにおいて、会員遊技者により「参加しない」が選択された場合には処理を中断し、後述する図１４（ａ）の遊技選択受付け画面に移行する一方、「参加する」が選択された場合には、当該カードユニット３の装置ＩＤと当該会員遊技者が会員となっている各遊技場毎の所有ポイント数の送信を要求する旨とを含む遊技場別ポイント数情報送信要求を会員管理コンピュータ１２０に対して送信する。
【００８６】
この遊技場別ポイント数情報送信要求を受信した会員管理コンピュータ１２０（ＣＰＵ１２２）は、受信した遊技場別ポイント数情報送信要求に含まれる装置ＩＤから、当該装置ＩＤのカードユニット３に受付け中の会員カードの会員ＩＤをユニット管理テーブルの記憶データ、つまりは、ユニット管理テーブルに受信した装置ＩＤに対応する「受付会員ＩＤ」のデータとして記憶されている会員ＩＤを特定し、該特定した会員ＩＤと当該遊技場の遊技場ＩＤとを装置ＩＤに代えて含む遊技場別ポイント数情報送信要求を管理サーバ１４０に送信（中継）する。
【００８７】
該中継された遊技場別ポイント数情報送信要求を受信した管理サーバ１４０（ＣＰＵ１４２）は、受信した遊技場別ポイント数情報送信要求に含まれている遊技場ＩＤと会員ＩＤとに対応付けて遊技場別会員情報データベースに記憶されている氏名と電子メールアドレスを特定し、前記会員別所有ポイント数テーブルにおいて、該特定した氏名並びに電子メールアドレスに対応付けて記憶されている各遊技場の会員ＩＤに対応する所有ポイント数、つまりは、当該会員遊技者の各遊技場毎の所有ポイント数を特定する。
【００８８】
そして、該特定した各遊技場毎の所有ポイント数とその遊技場名と、受信した遊技場別ポイント数情報送信要求に含まれる会員ＩＤとを含む遊技場別ポイント数情報を、受信した遊技場別ポイント数情報送信要求の送信元の会員管理コンピュータ１２０に対して送信する。
【００８９】
この遊技場別ポイント数情報を受信した会員管理コンピュータ１２０（ＣＰＵ１２２）は、受信した遊技場別ポイント数情報に含まれる会員ＩＤが記録されている会員カードを受付け中のカードユニット３を、ユニット管理テーブルの記憶データから特定して該特定したカードユニット３（制御ユニット３２８）に受信した遊技場別ポイント数情報を中継する。
【００９０】
そして、該中継された遊技場別ポイント数情報を受信したカードユニット３（制御ユニット３２８）は、受信した遊技場別ポイント数情報に含まれる当該会員遊技者が会員となっている各遊技場の遊技名とその遊技場において当該会員遊技者が所有する所有ポイント数とを含む、図１３（ｂ）に示す消費ポイント内訳受付画面を表示して、当該会員遊技者が会員となっている各遊技場において所有する所有ポイント数を会員遊技者に報知する。
【００９１】
この本実施例の消費ポイント内訳受付画面には、図１３（ｂ）に示す如く、前記抽選参加受付け画面において報知された参加可能口数を上限として、該上限の範囲内の参加口数を選択可能として会員遊技者から参加口数を受付けるための参加口数の項目と、該受付けた参加口数に対して必要とされる消費ポイント数が表示される必要Ｐの項目とが設けられている。
【００９２】
更に、消費ポイント内訳受付画面の中央部には、当該会員遊技者が会員となっている各遊技場において所有する所有ポイント数が、遊技場名に対応して表示されているとともに、該表示の向かって右位置には、各遊技場名に対応する所有ポイント数を上限値として、該上限値の範囲内のポイント数を選択可能とされた消費Ｐの項目が設けられていて、会員遊技者から、前記参加口数の項目にて受付けた参加口数に対して必要とされる消費ポイント数を、どの遊技場の所有ポイント数からどれだけ消費するかである、抽選への参加に必要な消費ポイント数の消費内訳を受付け可能とされている。
【００９３】
そして、消費ポイント内訳受付画面の下方に設けられている「決定」の選択入力部が選択入力されることで、前記消費Ｐの項目にて選択された数値が、指定値として特定され、その合計が参加口数に対して必要とされる消費ポイント数と一致するかを判定し、一致する場合において、会員遊技者から受付けた消費内訳、具体的には、遊技場の所有ポイントから消費する消費ポイント数となる消費Ｐの項目における指定値（消費ポイント数）と、該指定値に対応する遊技場名と、前記参加口数の項目にて選択された参加口数と装置ＩＤとを含む消費情報を会員管理コンピュータ１２０に送信する一方、図１３（ｃ）に示す受付け完了画面を表示部３１２に表示して、会員遊技者に抽選への参加受付けが良好になされたことを報知する。
【００９４】
該消費情報を受信した会員管理コンピュータ１２０（ＣＰＵ１２２）は、受信した消費情報に含まれる装置ＩＤから、当該装置ＩＤのカードユニット３に受付け中の会員カードの会員ＩＤを、前述の各要求の中継時と同様にユニット管理テーブルの記憶データから特定して該特定した会員ＩＤと当該遊技場の遊技場ＩＤとを装置ＩＤに代えて含む消費情報を管理サーバ１４０に送信（中継）する。
【００９５】
そして、該中継された消費情報を受信した管理サーバ１４０（ＣＰＵ１４２）は、受信した消費情報に含まれている遊技場ＩＤと会員ＩＤに対応付けて遊技場別会員情報データベースに記憶されている氏名と電子メールアドレスとを特定し、該特定した氏名と電子メールアドレスに対応して会員別ポイント数テーブルに各遊技場ＩＤと該遊技場の会員ＩＤに対応付けて記憶されている各所有ポイント数の内、受信した消費情報に含まれる遊技場名から特定される遊技場ＩＤ（遊技場情報テーブルにて特定）に対応付けて記憶されている所有ポイント数から、受信した消費情報に含まれる当該遊技場の会員ＩＤに対応するポイント数（消費ポイント数）を減算更新するとともに、当該減算した消費ポイント数に対応する会員ＩＤと遊技場ＩＤとに対応する遊技場別会員情報データベースの所有ポイントを減算更新後の所有ポイント数に更新した後、受信した消費情報に含まれる参加口数分、例えば１口であれば１つ、２口であれば２つの前記にて特定した当該会員遊技者の電子メールアドレスを抽選テーブルにセット（設定）する。
【００９６】
そして、図１１に示す前記抽選設定画面において当該抽選イベントに対して設定されている抽選日時に、これら参加口数に対応した数の電子メールアドレスがセットされた抽選テーブルから、該前記抽選設定画面において各賞毎に設定されている数の電子メールアドレスを抽出して当選者を抽選し、該抽出した当選者の電子メールアドレスに当選メールを送信して当選を報知する。
【００９７】
一方、前記消費情報を会員管理コンピュータ１２０に送信（中継）した後、カードユニット３（制御ユニット３２８）は図１９に示すＴに移行し、受付けた会員カードから読み出した度数に相当するカード残額の表示内容を含む図１４（ａ）に示す遊技選択受付け画面を表示部３１２に表示して、貯蓄玉を使用して遊技をするか、貯蓄玉を使用せずに度数（カード残額）を使用して遊技をするかの遊技選択受付けを実施する。
【００９８】
該遊技選択受付けにおいて、会員遊技者が「はい」を選択した場合において制御ユニット３２８は、表示部３１２に、図１４（ｂ）に示すように、暗証番号受付け画面を表示させて暗証番号の受付けを実施するとともに、該受付けた暗証番号と、受付け中の会員カードの会員ＩＤと、装置ＩＤとを含む貯玉抽出要求を会員管理コンピュータ１２０に送信する。
【００９９】
この貯玉抽出要求の受信に基づいて会員管理コンピュータ１２０は、貯玉抽出要求に含まれる会員ＩＤに対応して前記会員情報テーブルに記憶されている暗証番号と、貯玉抽出要求に含まれる暗証番号とを照合し、該照合において双方の暗証番号が一致した場合において、該会員カードの使用を許容する認証処理を実施し、貯玉抽出要求に含まれる会員ＩＤに対応して登録されている貯蓄玉数を抽出してカードユニット３の制御ユニット３２８に返信する。
【０１００】
該貯蓄玉数の返信に基づいて制御ユニット３２８は、返信されてきた貯蓄玉数に該当する再プレイ回数を算出し、該算出した再プレイ回数と貯蓄玉数とを表示部３１２に表示する（図１４（ｃ））。
【０１０１】
この段階にて前記再プレイボタン３１９を会員遊技者が操作すると、再プレイ回数が存在（残存）する場合において、カードユニット３が対応するパチンコ機２から１回の再プレイに相当する数のパチンコ球の払出（払戻）が実施されることで、会員遊技者は、一度遊技にて獲得した貯蓄玉数を再度遊技に使用することができる。
【０１０２】
このパチンコ球の払出（払戻）が完了した際に制御ユニット３２８は、前記表示部３１２に表示している再プレイ回数から１を減算更新表示するとともに、該１回の再プレイに対応する貯蓄玉数を表示部３１２に表示している貯蓄玉数から減算更新表示する。そして、これら払戻した貯蓄玉数である払戻玉数と会員ＩＤとカードユニット３の装置ＩＤとを含む払戻完了情報を会員管理コンピュータ１２０に送信する。
【０１０３】
この払戻完了情報の受信に基づいて会員管理コンピュータ１２０は、払戻完了情報に含まれる会員ＩＤに対応して会員情報テーブルに記憶されている貯蓄玉数から、払戻完了情報に含まれる払戻玉数を減算更新する。
【０１０４】
尚、これら再プレイ回数と貯蓄玉数とが表示された（図１４（ｃ））の画面上部隅部には、「メニュー」の選択入力部が設けられており、該「メニュー」の選択入力部を選択することで、図１４（ｅ）に示す会員用メニュー画面が表示部３１２に表示される。
【０１０５】
一方、前記遊技選択受付けにおいて会員遊技者が「いいえ」を選択した場合には、図１４（ｄ）に示すように、会員カードから読み出した認証済みの度数に基づくカード残額が表示部３１２に表示され、この状態において対応するパチンコ機２に設けられている図示しない貸出ボタンを操作することで、所定数の度数、例えば５度数に相当するパチンコ球の貸出が対応するパチンコ機２から実施されることで、会員遊技者は該貸し出されたパチンコ球を使用して遊技を実施できる。
【０１０６】
そして、該図１４（ｄ）に示すカード残額が表示された画面にも、画面上部隅部に「メニュー」の選択入力部が設けられており、該「メニュー」の選択入力部を選択入力することで、図１４（ｅ）に示す会員用メニュー画面が表示部３１２に表示される。
【０１０７】
この本実施例の会員用メニュー画面には、カードユニット３が対応するパチンコ機２における台データ（本日、前日、前々日）を表示させるための「台データ」の選択入力部と、当該会員遊技者が当該遊技場または会員となっている他の遊技場の所有ポイントや貯玉数等の情報を確認するための「遊技情報」の選択入力部と、当該会員遊技者が自身の遊技履歴に基づく各機種における統合履歴を表示させて把握するための「統合履歴」の選択入力部が設けられている。
【０１０８】
会員遊技者が、当該遊技場または会員となっている他の遊技場の所有ポイントや貯玉数等の遊技情報を表示部３１２に表示させて把握したい場合には、図１５（ａ）（図１４（ｅ）と同一）に示す会員用メニュー画面において表示されている「遊技情報」の選択入力部を選択入力する。
【０１０９】
該選択に基づいて制御ユニット３２８は、図１９に示すように、遊技情報の受付け有りと判定して図２２のＧに進み、該カードユニット３の装置ＩＤを含む遊技情報データ送信要求を会員管理コンピュータ１２０に対して送信する。
【０１１０】
該遊技情報データ送信要求の受信に基づいて会員管理コンピュータ１２０（ＣＰＵ１２２）は、ユニット管理テーブルにおいて、当該受信した遊技情報データ送信要求に含まれる装置ＩＤに対応付けて「受付会員ＩＤ」の項目に記憶されている会員ＩＤを特定し、該特定した会員ＩＤに対応して会員情報テーブルに記憶されている当該会員遊技者が該遊技場において所有している所有ポイントや来店回数、並びに該特定した会員ＩＤに対応して会員別遊技履歴テーブルに記憶されている貯蓄玉数や遊技履歴の各情報を読み出し、これら読み出した各情報を含む自店遊技情報データを遊技情報データ送信要求の送信元のカードユニット３（制御ユニット３２８）に送信する。
【０１１１】
そして、該自店遊技情報データの受信に基づいて制御ユニット３２８は、受信した自店遊技情報データに含まれる各種データを、図１５（ｂ）に示すように表示部３１２に表示することで、会員遊技者は、該カードユニット３が設置されている該遊技場において自身が所有する所有ポイントや貯蓄玉数、並びに来店回数や遊技履歴（収支等）を把握することができる。
【０１１２】
尚、本実施例では、カードユニット３の表示部３１２は、一度に表示可能な表示容量が比較的少ないことから、図１５（ｂ）に示すように画面下部に「続き履歴」の選択入力部を設けており、該「続き履歴」の選択入力部を会員遊技者が選択入力することで、自店遊技情報データに含まれる未表示の遊技履歴が表示部３１２に表示される。
【０１１３】
そして会員遊技者が、自分が会員となっているその他の遊技場における所有ポイントや来店回数、貯蓄玉数、各遊技での収支等の情報を確認したい場合には、図１５（ｂ）に示す遊技情報画面の下方位置に設けられている「他の遊技場」の選択入力部を選択すれば良く、該「他の遊技場」の選択入力に基づいてカードユニット３（制御ユニット３２８）は、該カードユニット３の装置ＩＤを含み、受付け中の会員カードに記憶されている会員ＩＤの会員遊技者が会員となっているその他の遊技場の遊技場名を含む遊技場情報の送信を要求する旨としての他遊技場選択受付情報を会員管理コンピュータ１２０に対して送信する。
【０１１４】
この他遊技場選択受付情報の受信に基づいて会員管理コンピュータ１２０（ＣＰＵ１２２）は、受信した他遊技場選択受付情報に含まれる装置ＩＤから、当該装置ＩＤのカードユニット３に受付け中の会員カードの会員ＩＤをユニット管理テーブルの記憶データから特定し、該特定した会員ＩＤを含む他遊技場情報要求を管理サーバ１４０に送信（中継）する。
【０１１５】
そして管理サーバ１４０（ＣＰＵ１４２）は、該送信された会員ＩＤを含む他遊技場情報要求を受信する他遊技場情報要求受信処理を実施し、受信した他遊技場情報要求に含まれる会員ＩＤと、当該会員ＩＤに対応する遊技場ＩＤ（遊技場情報テーブルにて対応会員ＩＤから特定）とに対応付けて前記遊技場別会員情報データベースに記憶されている会員属性情報である電子メールアドレスを特定し、当該特定した電子メールアドレスと同一の電子メールアドレスが記憶されている他の遊技場の遊技場ＩＤとその遊技場における会員ＩＤを全て特定して抽出するとともに、該抽出したデータを受信した他遊技場情報要求に含まれる会員ＩＤに対応付けて一時記憶する他遊技場会員識別情報特定処理を実施することで、当該会員遊技者が会員となっているその他の遊技場と各遊技場における会員ＩＤとが全て特定される。
【０１１６】
つまり、本実施例の他遊技場情報要求受信処理において会員識別情報特定情報となる会員ＩＤを含む他遊技場情報要求を受信して受付けており、該他遊技場情報要求受信処理を実施するＣＰＵ１４２によって本発明における会員識別情報受付け手段が形成されている。
【０１１７】
更には、本実施例の他遊技場会員識別情報特定処理において、他遊技場情報要求受信処理にて受信し（受付け）た会員識別情報特定情報となる会員ＩＤから特定される会員ＩＤ（会員識別情報）に対応付けて、会員関連情報記憶手段を成す遊技場別会員情報データベースに記憶されている記憶データである会員属性情報としての電子メールアドレスと同一の電子メールアドレスに対応付けて該遊技場別会員情報データベースに記憶されている会員ＩＤと遊技場ＩＤとから、該受信した他遊技場選択受付情に含まれる会員識別情報特定情報となる会員ＩＤから特定される会員識別情報である当該会員ＩＤ自体が対応する遊技場以外の遊技場の遊技場ＩＤと当該遊技場における当該会員遊技者の会員ＩＤとを特定しており、該他遊技場会員識別情報特定処理を実施するＣＰＵ１４２によって本発明における他遊技場会員識別情報特定手段が形成されている。
【０１１８】
そして、該特定された会員遊技者が会員となっているその他の遊技場の遊技場名と受信した他遊技場情報要求に含まれる会員ＩＤとを含む他遊技場情報を、他遊技場情報要求の送信元の会員管理コンピュータ１２０に対して送信する。
【０１１９】
この他遊技場情報を受信した会員管理コンピュータ１２０（ＣＰＵ１２２）は、受信した他遊技場情報に含まれる会員ＩＤが記録されている会員カードを受付け中のカードユニット３をユニット管理テーブルの記憶データから特定し、該特定したカードユニット３（制御ユニット３２８）に受信した他遊技場情報を中継する。
【０１２０】
そして、該中継された他遊技場情報を受信したカードユニット３（制御ユニット３２８）は、受信した他遊技場情報に含まれる当該会員遊技者が会員となっている他の遊技場の遊技名の一覧を含む、図１５（ｃ）に示す他遊技場選択受付画面を表示部３１２に表示して、会員遊技者から、自身が会員となっている他の遊技場の中から遊技情報を把握したい遊技場の指定を受付ける。
【０１２１】
そして、会員遊技者による遊技場名の選択に基づいてカードユニット３（制御ユニット３２８）は、該他遊技場選択受付画面において選択された遊技場を特定可能な情報（遊技場名であっても良いし、遊技場ＩＤでも良いし、表示（配列）順序の情報等でも良い）と装置ＩＤとを含む選択遊技場情報を会員管理コンピュータ１２０に対して送信する。
【０１２２】
該選択遊技場情報を受信した会員管理コンピュータ１２０（ＣＰＵ１２２）は、受信した選択遊技場情報に含まれる装置ＩＤから、当該装置ＩＤのカードユニット３に受付け中の会員カードの会員ＩＤをユニット管理テーブルにて特定し、該特定した会員ＩＤを装置ＩＤに代えて含む選択遊技場情報を管理サーバ１４０に送信する。
【０１２３】
そして、該選択遊技場情報を受信した管理サーバ１４０（ＣＰＵ１４２）は、受信した選択遊技場情報に含まれる会員ＩＤに対応付けて一時記憶している前述の抽出データのうち、受信した選択遊技場情報に含まれる遊技場を特定可能な情報から特定される遊技場の遊技場名に対応する会員ＩＤ、つまり、会員遊技者にて指定された遊技場における当該会員遊技者の会員ＩＤを特定し、該特定した会員ＩＤと当該遊技場の遊技場ＩＤとに対応付けて遊技場別会員情報データベースに記憶されている所有ポイント数や来店回数、並びに遊技場別会員遊技履歴テーブルに記憶されている遊技履歴と貯蓄玉数の情報を抽出する抽出処理を実施し、該抽出処理にて抽出したこれらの情報を含む他店遊技情報データを、受信した選択遊技場情報に含まれる会員ＩＤとともに該選択遊技場情報の送信元の会員管理コンピュータ１２０に対して送信する他店遊技情報データ送信処理を実施する。
【０１２４】
つまり、本実施例の抽出処理において、前記他遊技場会員識別情報特定処理にて特定された遊技場ＩＤと会員ＩＤとの内、受信した選択遊技場情報に含まれる遊技場の遊技場ＩＤと会員ＩＤとに対応付けて遊技場別会員情報データベース並びに遊技場別会員遊技履歴テーブルに記憶されている所有ポイント数や来店回数並びに遊技履歴と貯蓄玉数から成る会員利用関連情報となる他店遊技情報データを抽出しており、該抽出処理を実施するＣＰＵ１４２によって本発明における抽出手段が形成されているとともに、該抽出処理にて抽出された他店遊技情報データを他店遊技情報データ送信処理にて送信（配信）しており、該他店遊技情報データ送信処理を実施するＣＰＵ１４２によって本発明における会員利用関連情報配信手段が形成されている。
【０１２５】
この他店遊技情報データを受信した会員管理コンピュータ１２０（ＣＰＵ１２２）は、受信した他店遊技情報データとともに受信した会員ＩＤが記録されている会員カードを受付け中のカードユニット３をユニット管理テーブルの記憶データから特定し、該特定したカードユニット３（制御ユニット３２８）に受信した他店遊技情報データを中継する。
【０１２６】
そして、該中継された他店遊技情報データを受信したカードユニット３（制御ユニット３２８）は、受信した他店遊技情報データに含まれる各種データを、図１５（ｄ）に示すように表示部３１２に表示することで、会員遊技者は、指定した他の遊技場において自身が所有する所有ポイントや貯蓄玉数、並びに来店回数や遊技履歴（収支等）を、該指定した遊技場に出向くことなく把握することができる。尚、この図１５（ｄ）に示す画面の下部位置にも、「他の遊技場」の選択入力部が表示されており、該会員遊技者が、さらに他の遊技場における遊技情報を確認したい場合には、この「他の遊技場」の選択入力部を選択入力すれば良く、該選択入力により前述したように、表示部３１２に、前述した他遊技場選択画面が再度表示されることで、該他遊技場選択画面において遊技情報を確認したい他の遊技場を会員遊技者は指定することができ、該指定した遊技場において自身が所有する所有ポイントや貯蓄玉数、並びに来店回数や遊技履歴（収支等）が表示部３１２に表示される。
【０１２７】
次に、会員遊技者が、自身の遊技履歴に基づく統合履歴を表示部３１２に表示させて把握したい場合には、図１６（ａ）（図１４（ｅ）と同一）に示す会員用メニュー画面において表示されている「統合履歴」の選択入力部を選択する。
【０１２８】
該選択に基づいて制御ユニット３２８は、図１９に示すように、統合履歴の受付け有りと判定して、当該カードユニット３の装置ＩＤと統合履歴データの送信を要求する旨とを含む統合履歴データ送信要求を会員管理コンピュータ１２０に送信する。
【０１２９】
この統合履歴データ送信要求の受信に基づいて会員管理コンピュータ１２０（ＣＰＵ１２２）は、ユニット管理テーブルにおいて、当該受信した統合履歴データ送信要求に含まれる装置ＩＤに対応付けて「受付会員ＩＤ」の項目と「対応台番号」の項目に記憶されている会員ＩＤ並びに台番号とを特定し、装置ＩＤに代えて該特定した会員ＩＤと台番号とを含む統合履歴データ要求を管理サーバ１４０に対して送信する。
【０１３０】
そして管理サーバ１４０（ＣＰＵ１４２）は、該送信された統合履歴データ要求を受信する統合履歴データ要求受信処理を実施するとともに、該受信に基づいて他遊技場会員識別情報特定処理を実施する。具体的には、受信した統合履歴データ要求に含まれる会員ＩＤに対応する遊技場ＩＤを前記遊技場情報テーブル（図８（ｂ）参照）の記憶データ（対応会員ＩＤ等）に基づいて特定し、該特定した遊技場ＩＤと当該会員ＩＤとに対応付けて遊技場別会員情報データベース（図７（ａ）参照）に記憶されている会員属性情報の１つである電子メールアドレスを特定した後、該特定した電子メールアドレスと同一の電子メールアドレスを含む会員属性情報が記憶されている会員ＩＤと遊技場ＩＤとを遊技場別会員情報データベースにおいて全て特定し、該特定した会員ＩＤと遊技場ＩＤとを、受信した統合履歴データ要求に含まれている会員ＩＤに対応付けて一時記憶する。尚、本実施例では、会員ＩＤの他、遊技場ＩＤを遊技場別会員情報データベースから特定しているが、本発明はこれに限定されるものではなく、これら会員属性情報による特定においては会員ＩＤのみを特定し、該特定した会員ＩＤと遊技場情報テーブルにおける各遊技場に該当する対応会員ＩＤのデータとから、当該会員ＩＤに対応する遊技場並びに遊技場ＩＤを特定するようにしても良い。
【０１３１】
つまり、本実施例の統合履歴データ要求受信処理においては、会員が操作可能な情報端末であるカードユニット３から会員管理コンピュータ１２０を介して当該会員遊技者が会員となっているいずれか１つの遊技場における会員ＩＤを特定可能な会員識別情報特定情報となる会員ＩＤ自体と機種特定情報となる台番号とを含む遊技履歴情報送信要求となる統合履歴データ要求を受信して受付けており、該統合履歴データ要求受信処理を実施するＣＰＵ１４２によっても本発明における会員識別情報受付け手段が形成されている。
【０１３２】
また、本実施例の他遊技場会員識別情報特定処理において、統合履歴データ要求受信処理にて受信し（受付け）た会員識別情報特定情報となる会員ＩＤから特定される会員ＩＤ（会員識別情報）に対応付けて、会員関連情報記憶手段を成す遊技場別会員情報データベースに記憶されている記憶データである会員属性情報としての電子メールアドレスと同一の電子メールアドレスに対応付けて該遊技場別会員情報データベースに記憶されている会員ＩＤと遊技場ＩＤとから、該受信した統合履歴データ要求に含まれる会員識別情報特定情報となる会員ＩＤから特定される会員識別情報である当該会員ＩＤ自体が対応する遊技場以外の遊技場の遊技場ＩＤと該遊技場における当該会員遊技者の会員ＩＤとを特定しており、該他遊技場会員識別情報特定処理を実施するＣＰＵ１４２によって本発明における他遊技場会員識別情報特定手段が形成されている。
【０１３３】
更に、管理サーバ１４０は、受信した統合履歴データ要求に含まれる台番号と、前記遊技場別台情報テーブル（図８（ａ）参照）とから、当該台番号の機種名を特定する。
【０１３４】
そして、前記にて特定した全ての遊技場ＩＤと会員ＩＤ並びに受信した統合履歴データ要求に含まれる会員ＩＤと当該会員ＩＤが対応する遊技場ＩＤとに対応付けて遊技場別会員遊技履歴テーブルに記憶されている遊技履歴、つまり、当該会員遊技者が会員となっている全ての遊技場における全遊技履歴（過去３ヶ月以内）を全て抽出して、受信した統合履歴データ要求に含まれている会員ＩＤに対応付けて、各遊技場ＩＤと会員ＩＤ並びに抽出した遊技履歴とを一時記憶するとともに、該抽出した遊技履歴の内、受信した統合履歴データ要求に含まれる台番号から特定した機種名を含む遊技履歴を全て抽出する遊技履歴抽出処理を実施する。
【０１３５】
つまり、本実施例の遊技履歴抽出処理においては、受信した遊技履歴情報送信要求となる統合履歴データ要求に含まれる会員識別情報特定情報である会員ＩＤから特定される会員ＩＤ自体並びに前記他遊技場会員識別情報特定処理にて特定された全ての会員ＩＤとに対応付けて遊技場別会員遊技履歴テーブルに記憶されている遊技履歴の内、該統合履歴データ要求に含まれる機種特定情報となる台番号から特定される機種名を含む遊技履歴を抽出しており、該遊技履歴抽出処理を実施するＣＰＵ１４２によって本発明における遊技履歴抽出手段が形成されている。
【０１３６】
そして管理サーバ１４０（ＣＰＵ１４２）は、該遊技履歴抽出処理にて抽出した前記機種名を含む遊技履歴に基づいて、当該機種名の同一機種を対象とする該会員遊技者の統合履歴データを生成する統合履歴情報生成処理を実施した後、該統合履歴情報生成処理にて生成した統合履歴データを前記受信した会員ＩＤとともに統合履歴情報として送信する統合履歴情報送信処理を実施する。
【０１３７】
つまり、本実施例の統合履歴情報生成処理においては、前記遊技履歴抽出処理にて抽出された遊技履歴を統合して統合履歴データを生成しており、該統合履歴情報生成処理を実施するＣＰＵ１４２によって本発明における統合遊技履歴情報生成手段が形成され、更には、本実施例の統合履歴情報送信処理においては、統合履歴情報生成処理にて生成された該統合履歴データを、統合履歴データ要求を送信してきたカードユニット３に会員管理コンピュータ１２０を介して送信しており、該統合履歴情報送信処理を実施するＣＰＵ１４２によって本発明における統合遊技履歴情報配信手段が形成されている。
【０１３８】
具体的に生成される統合履歴データとしては、前記抽出した遊技履歴に基づいて、抽出した遊技履歴に含まれる総遊技回数が集計されるとともに、各遊技履歴における始動回数の総合計となる総始動回数や、各遊技履歴における大当り回数の総合計となる総大当り回数や、各遊技履歴における確変大当り回数の総合計となる総確変回数や、該集計された総大当り回数を総始動回数にて除した値に相当する平均大当り確率や、該集計された総確変回数を総始動回数にて除した値に相当する平均確変確率や、各遊技履歴における収支の合計である収支合計が算出されて統合履歴データとされる。
【０１３９】
このようにして生成された統合履歴データと会員ＩＤとを含む統合履歴情報は、前記統合履歴データ要求を送信してきた会員管理コンピュータ１２０に送信されることで、該会員管理コンピュータ１２０において、受信した統合履歴情報に含まれる会員ＩＤの会員カードを受付け中のカードユニット３（移動後のカードユニット３であっても良い）が、前記ユニット管理テーブルにおいて該会員ＩＤが「受付会員ＩＤ」の項目に記憶されているカードユニット３の装置ＩＤを抽出することにより特定され、該特定されたカードユニット３（制御ユニット３２８）に対して、受信した統合履歴情報に含まれる統合履歴データが送信される。
【０１４０】
このようにして会員管理コンピュータ１２０を介して管理サーバ１４０から送信されてきた統合履歴データは、制御ユニット３２８により図１６（ｂ）に示すように、管理サーバ１４０にて生成された各統合履歴データである、総遊技回数や、総始動回数や、総大当り回数や、総確変回数や、平均大当り確率や、平均確変確率や、収支合計が表示部３１２に表示される。
【０１４１】
この各統合履歴データが表示された統合履歴表示画面には、図１６（ｂ）に示すように、画面下方位置に、前記統合履歴データに統合されている各遊技場における遊技中の機種と同一機種における遊技履歴を、各遊技場毎に比較可能に表示させるための「比較表示」の選択入力部や、遊技中の機種とは異なる機種における統合履歴を表示させるための「他機種」の選択入力部や、遊技中の機種と同一機種における遊技履歴を遊技場別に個別表示させるための「遊技場別」の選択入力部や、「戻る」の各選択入力部が設けられている。
【０１４２】
これらの各選択入力部の内、まず、「比較表示」の選択入力部を会員遊技者が選択入力した場合には、図１９に示すように、比較表示の選択受付け有りと判定されて図２０のＡに進み、当該カードユニット３の装置ＩＤと比較表示データの送信を要求する旨とを含む比較表示データ送信要求が会員管理コンピュータ１２０に送信される。
【０１４３】
該比較表示データ送信要求の受信に基づいて会員管理コンピュータ１２０は、当該受信した比較表示データ送信要求に含まれる装置ＩＤから特定されるカードユニット３に受付け中の会員カードの会員ＩＤを、ユニット管理テーブルにおいて該受信した装置ＩＤに対応する「受付会員ＩＤ」の項目に記憶されている会員ＩＤから特定し、装置ＩＤに代えて該特定した会員ＩＤを含む比較表示データ要求を管理サーバ１４０に対して送信する。
【０１４４】
該比較表示データ要求の受信に基づいて管理サーバ１４０は、受信した比較表示データ要求に含まれる会員ＩＤに対応付けて一時記憶されている、前記統合履歴データ要求の受信に基づき抽出した当該会員遊技者の会員となっている全ての遊技場における全遊技履歴の内、前記統合履歴データ要求の含まれる台番号から特定した機種名を含む遊技履歴を各遊技履歴が対応する遊技場毎に集計し、これら集計した各遊技場毎のデータを対比可能な表示データ、具体的には、図１６（ｃ）に示すように、各遊技場毎の始動回数と、大当り回数、確変回数とを、折線グラフにて各遊技場における回数の推移を比較可能とするとともに、各遊技場における収支が、マイナスまたはプラスの大きさを目視にて比較可能とする棒状グラフとした比較表示データを生成する比較表示データ生成処理を実施し、該生成した比較表示データと、受信した比較表示データ要求に含まれる会員ＩＤとを含む比較表示情報を比較表示データ要求の送信元（統合履歴データの送信元と同一）の会員管理コンピュータ１２０に対して送信する比較表示データ送信処理を実施する。
【０１４５】
つまり、本実施例の比較表示データ生成処理においては、遊技履歴抽出処理にて抽出された遊技履歴を、当該抽出された遊技履歴が対応する遊技場別に対比可能な比較表示データ形式となる折線グラフや棒状グラフに加工しており、該比較表示データ生成処理を実施するＣＰＵ１４２によって本発明における比較表示データ加工手段が形成されている。
【０１４６】
また、本実施例の比較表示データ送信処理においては、前記比較表示データ生成処理にて生成（加工）された比較表示データを、前記遊技履歴情報送信要求となる統合履歴データ要求を送信してきた情報端末であるカードユニット３に、会員管理コンピュータ１２０を介して送信しており、該比較表示データ送信処理を実施するＣＰＵ１４２によって本発明における比較表示データ配信手段が形成されている。
【０１４７】
そして、該比較表示情報を受信した会員管理コンピュータ１２０（ＣＰＵ１２２）は、受信した比較表示情報に含まれる会員ＩＤが記録されている会員カードを受付け中のカードユニット３を、ユニット管理テーブルにおいて該会員ＩＤが「受付会員ＩＤ」の項目に記憶されているカードユニット３の装置ＩＤを抽出することにより特定し、該特定したカードユニット３（制御ユニット３２８）に受信した比較表示情報に含まれる比較表示データを送信（中継）する。
【０１４８】
このようにして会員管理コンピュータ１２０を介して管理サーバ１４０から送信されてきた比較表示データは、制御ユニット３２８により図１６（ｃ）に示すように、管理サーバ１４０にて生成された比較表示データである始動回数や大当り回数や確変回数の折線グラフや、収支の棒状グラフとが表示部３１２に表示される。
【０１４９】
次に、図１７（ａ）に示すように、前述した各選択入力部の内、「他機種」の選択入力部を会員遊技者が選択入力した場合には、図１９に示すように、他機種の選択受付け有りと判定されて図２０のＢに進み、カードユニット３（制御ユニット３２８）は、当該カードユニット３の装置ＩＤと機種情報の送信を要求する旨とを含む機種情報送信要求を会員管理コンピュータ１２０に送信する。
【０１５０】
該機種情報送信要求の受信に基づいて会員管理コンピュータ１２０（ＣＰＵ１２２）は、ユニット管理テーブルにおいて、当該受信した機種情報送信要求に含まれる装置ＩＤに対応付けて「受付会員ＩＤ」の項目に記憶されている会員ＩＤを特定し、装置ＩＤに代えて該特定した会員ＩＤを含む機種情報要求を管理サーバ１４０に対して送信する。
【０１５１】
該機種情報要求の受信に基づいて管理サーバ１４０（ＣＰＵ１４２）は、受信した機種情報要求に含まれる会員ＩＤに対応付けて一時記憶されている、前記統合履歴データ要求の受信に基づき抽出した当該会員遊技者の会員となっている全ての遊技場における全遊技履歴から、当該会員が過去（３ヶ月間）に遊技した機種名を全て抽出するともに、該機種名から前述の統合履歴データ要求に含まれる台番号から特定した機種名を除いた機種名を含む機種データを生成し、当該生成した機種データと機種情報要求に含まれる会員ＩＤとを含む機種情報を機種情報要求の送信元の会員管理コンピュータ１２０に対して送信する。
【０１５２】
そして、該機種情報を受信した会員管理コンピュータ１２０（ＣＰＵ１２２）は、受信した機種情報に含まれる会員ＩＤが記録されている会員カードを受付け中のカードユニット３を、ユニット管理テーブルにおいて該会員ＩＤが「受付会員ＩＤ」の項目に記憶されているカードユニット３の装置ＩＤを抽出することにより特定し、該特定したカードユニット３（制御ユニット３２８）に受信した機種情報に含まれる機種データを送信（中継）する。
【０１５３】
このようにして会員管理コンピュータ１２０を介して管理サーバ１４０から送信されてきた機種データは、図１７（ｂ）に示すように、制御ユニット３２８により、当該機種データに含まれる各機種名を会員遊技者が選択可能に表示部３１２に一覧表示されることで、機種選択の受付けが実施される。
【０１５４】
そして、図１７（ｂ）に示すように、該機種選択受付け画面において会員遊技者が統合履歴の表示対象とする機種を選択した場合には、カードユニット３（制御ユニット３２８）は、当該カードユニット３の装置ＩＤと選択された機種名と他機種統合履歴データの送信を要求する旨とを含む他機種統合履歴データ送信要求を会員管理コンピュータ１２０に送信する。
【０１５５】
該他機種統合履歴データ送信要求の受信に基づいて会員管理コンピュータ１２０（ＣＰＵ１２２）は、ユニット管理テーブルにおいて、当該受信した他機種統合履歴データ送信要求に含まれる装置ＩＤに対応付けて「受付会員ＩＤ」の項目に記憶されている会員ＩＤを特定し、受信した装置ＩＤを該特定した会員ＩＤに代えることで、該特定した会員ＩＤと会員遊技者により選択された機種名とを含む他機種統合履歴データ要求を管理サーバ１４０に対して送信する。
【０１５６】
この他機種統合履歴データ要求の受信に基づいて管理サーバ１４０（ＣＰＵ１４２）は、受信した他機種統合履歴データ要求に含まれる会員ＩＤに対応して一時記憶されている、前記統合履歴データ要求の受信に基づき抽出した当該会員遊技者の会員となっている全ての遊技場における全遊技履歴の内、受信した他機種統合履歴データ要求に含まれる機種名を含む遊技履歴を全て特定して抽出する他機種遊技履歴抽出処理を実施する。
【０１５７】
つまり、本実施例の他機種遊技履歴抽出処理においては、統合履歴データ要求に含まれる会員識別情報特定情報である会員ＩＤから特定される会員ＩＤ自体並びに前記他遊技場会員識別情報特定処理にて特定された全ての会員ＩＤに対応付けて遊技場別会員遊技履歴テーブルに記憶されている遊技履歴、すなわち、当該会員遊技者の会員となっている全ての遊技場における全遊技履歴の内、該統合履歴データ要求に含まれる機種名を含まない、他機種統合履歴データ要求に含まれる機種名を含む遊技履歴を抽出しており、該他機種遊技履歴抽出処理を実施するＣＰＵ１４２によって本発明における他機種遊技履歴情報抽出手段が形成されている。
【０１５８】
そして、該他機種遊技履歴抽出処理にて抽出した遊技履歴に基づいて指定（選択）された他機種に対する該会員遊技者の他機種統合履歴データを生成する他機種統合履歴データ生成処理を実施するともに、該生成した他機種統合履歴データ並びに受信した他機種統合履歴データ要求に含まれる会員ＩＤとを含む他機種統合履歴情報を、他機種統合履歴データ要求の送信元の会員管理コンピュータ１２０に対して送信する他機種統合履歴情報送信処理を実施する。
【０１５９】
つまり、本実施例の他機種統合履歴データ生成処理においては、前記他機種遊技履歴抽出処理にて抽出された他機種統合履歴データ要求に含まれる機種名の機種における遊技履歴を統合して他機種統合遊技履歴情報となる他機種統合履歴データを生成しており、該他機種統合履歴データ生成処理を実施するＣＰＵ１４２によって本発明における他機種統合遊技履歴情報生成手段が形成されている。
【０１６０】
また、本実施例の他機種統合履歴情報送信処理においては、他機種統合履歴データ生成処理にて生成された他機種統合履歴データを、他機種統合履歴データ要求の送信元と同じ統合履歴データ要求を送信してきた情報端末であるカードユニット３に、会員管理コンピュータ１２０を介して送信（配信）しており、該他機種統合履歴情報送信処理を実施するＣＰＵ１４２によって本発明における他機種統合遊技履歴情報配信手段が形成されている。
【０１６１】
具体的に、生成される他機種統合履歴データとしては、前述した統合履歴データと同様とされており、前記特定した遊技履歴に基づいて、総遊技回数、総始動回数、総大当り回数、総確変回数、平均大当り確率、平均確変確率、収支合計が算出されて他機種統合履歴データとされる（図１７（ｃ）参照）。
【０１６２】
このようにして生成された他機種統合履歴データと会員ＩＤとを含む他機種統合履歴情報は、前記他機種統合履歴データ要求を送信してきた会員管理コンピュータ１２０に送信されることで、該会員管理コンピュータ１２０（ＣＰＵ１２２）において、受信した他機種統合履歴情報に含まれる会員ＩＤの会員カードを受付け中のカードユニット３が、前記ユニット管理テーブルにおいて該会員ＩＤが「受付会員ＩＤ」の項目に記憶されているカードユニット３の装置ＩＤを抽出することにより特定され、該特定されたカードユニット３（制御ユニット３２８）に対して、受信した他機種統合履歴情報に含まれる他機種統合履歴データが送信される。
【０１６３】
このようにして会員管理コンピュータ１２０を介して管理サーバ１４０から送信されてきた他機種統合履歴データは、制御ユニット３２８により図１７（ｃ）に示すように、管理サーバ１４０にて生成された他機種統合履歴データである、総遊技回数や、総始動回数や、総大当り回数や、総確変回数や、平均大当り確率や、平均確変確率や、収支合計が表示部３１２に表示される。
【０１６４】
一方、図１８（ａ）に示すように、前述した各選択入力部の内、「遊技場別」の選択入力部を会員遊技者が選択入力した場合には、図１９に示すように、遊技場別の選択受付け有りと判定されて図２１のＣに進み、カードユニット３（制御ユニット３２８）は、当該カードユニット３の装置ＩＤと遊技場情報の送信を要求する旨とを含む遊技場情報送信要求を会員管理コンピュータ１２０に送信する。
【０１６５】
この遊技場情報送信要求の受信に基づいて会員管理コンピュータ１２０（ＣＰＵ１２２）は、ユニット管理テーブルにおいて、当該受信した遊技場情報送信要求に含まれる装置ＩＤに対応付けて「受付会員ＩＤ」の項目に記憶されている会員ＩＤを特定し、受信した装置ＩＤに代えて該特定した会員ＩＤを含む遊技場情報要求を管理サーバ１４０に対して送信する。
【０１６６】
該遊技場情報要求の受信に基づいて管理サーバ１４０（ＣＰＵ１４２）は、受信した遊技場情報要求に含まれる会員ＩＤと同一の会員ＩＤを含む統合履歴データ要求に基づいて、前記の他遊技場会員識別情報特定処理にて特定して一時記憶した全ての遊技場ＩＤと、該受信した遊技場情報要求に含まれる会員ＩＤに対応する遊技場ＩＤとから特定される遊技場名、つまりは、当該会員遊技者が会員となっている全ての遊技場の遊技場名を含む遊技場データを生成し、当該生成した遊技場データと遊技場情報要求に含まれる会員ＩＤとを含む遊技場情報を、該遊技場情報要求の送信元の会員管理コンピュータ１２０に対して送信する。
【０１６７】
そして、該遊技場情報を受信した会員管理コンピュータ１２０（ＣＰＵ１２２）は、受信した遊技場情報に含まれる会員ＩＤが記録されている会員カードを受付け中のカードユニット３を、ユニット管理テーブルにおいて該会員ＩＤが「受付会員ＩＤ」の項目に記憶されているカードユニット３の装置ＩＤを抽出することにより特定し、該特定したカードユニット３（制御ユニット３２８）に受信した遊技場情報に含まれる遊技場データを送信
中継）する。
【０１６８】
このようにして会員管理コンピュータ１２０を介して管理サーバ１４０から送信されてきた遊技場データは、図１８（ｂ）に示すように、制御ユニット３２８により、当該遊技場データに含まれる各遊技場名が、会員遊技者が選択可能に表示部３１２に一覧表示されることで、遊技場選択の受付けが実施される。
【０１６９】
そして、図１８（ｂ）に示すように、該遊技場選択受付け画面において会員遊技者が遊技履歴の表示対象とする遊技場を選択した場合に制御ユニット３２８は、当該カードユニット３の装置ＩＤと選択された遊技場名と遊技場別履歴データの送信を要求する旨とを含む遊技場別履歴データ送信要求を会員管理コンピュータ１２０に送信する。
【０１７０】
該遊技場別履歴データ送信要求の受信に基づいて会員管理コンピュータ１２０（ＣＰＵ１２２）は、ユニット管理テーブルにおいて、該受信した遊技場別履歴データ送信要求に含まれる装置ＩＤに対応付けて「受付会員ＩＤ」の項目に記憶されている会員ＩＤを特定し、受信した装置ＩＤに代えて該特定した会員ＩＤと会員遊技者により指定された遊技場名とを含む遊技場別履歴データ要求を管理サーバ１４０に対して送信する。
【０１７１】
該遊技場別履歴データ要求の受信に基づいて管理サーバ１４０（ＣＰＵ１４２）は、受信した遊技場別履歴データ要求に含まれる会員ＩＤに対応付けて一時記憶されている、前記統合履歴データ要求の受信に基づき抽出した当該会員遊技者の会員となっている全ての遊技場における全遊技履歴の内、受信した遊技場別履歴データ要求に含まれる遊技場名に該当し、かつ受信した前述の統合履歴データ要求に含まれる台番号から特定した機種名を含む遊技履歴を全て特定するとともに、該特定した遊技履歴に基づいて、会員遊技者により指定（選択）された遊技場における該会員遊技者の遊技中の機種での遊技場別履歴データを生成し、受信した遊技場別履歴データ要求に含まれる会員ＩＤとともに、遊技場別履歴情報として送信する遊技場別履歴情報送信処理を実施する。
【０１７２】
つまり、本実施例の遊技場別履歴情報送信処理においては、前記遊技履歴抽出処理にて抽出された遊技履歴を、当該抽出された遊技履歴が対応する遊技場別に前記統合履歴データ要求を送信してきた情報端末であるカードユニット３に、会員管理コンピュータ１２０を介して送信（配信）しており、該遊技場別履歴情報送信処理を実施するＣＰＵ１４２によって本発明における遊技場別遊技履歴情報配信手段が形成されている。
【０１７３】
具体的に、生成される遊技場別履歴データとしては、前述した統合履歴データや他機種統合履歴データとの比較を容易とするために、これら統合履歴データや他機種統合履歴データと同様とされており、前記特定した遊技履歴に基づいて、総遊技回数、総始動回数、総大当り回数、総確変回数、平均大当り確率、平均確変確率、収支合計が算出されて遊技場別履歴データとされる。
【０１７４】
このようにして生成された遊技場別履歴データと会員ＩＤとを含む遊技場別履歴情報は、前記遊技場別履歴データ要求を送信してきた会員管理コンピュータ１２０に送信されることで、該会員管理コンピュータ１２０（ＣＰＵ１２２）において、受信した遊技場別履歴情報に含まれる会員ＩＤの会員カードを受付け中のカードユニット３が、前記ユニット管理テーブルにおいて該会員ＩＤが「受付会員ＩＤ」の項目に記憶されているカードユニット３の装置ＩＤを抽出することにより特定され、該特定されたカードユニット３（制御ユニット３２８）に対して、受信した遊技場別履歴情報に含まれる遊技場別履歴データが送信される。
【０１７５】
このようにして会員管理コンピュータ１２０を介して管理サーバ１４０から送信されてきた遊技場別履歴データは、制御ユニット３２８により図１８（ｃ）に示すように、管理サーバ１４０にて生成された遊技場別履歴データである、総遊技回数や、総始動回数や、総大当り回数や、総確変回数や、平均大当り確率や、平均確変確率や、収支合計が表示部３１２に表示される。
【０１７６】
このように、本実施例１では、管理サーバ１４０（ＣＰＵ１４２）が実施する前述した他遊技場会員識別情報特定処理において、会員管理コンピュータ１２０から受信した各種要求に含まれる会員ＩＤ並びに該会員ＩＤが対応する遊技場の遊技場ＩＤとに対応付けて前記遊技場別会員情報データベースに記憶されている会員属性情報である電子メールアドレスを特定し、当該特定した電子メールアドレスと同一の電子メールアドレスが記憶されている他の遊技場の遊技場ＩＤとその遊技場における会員ＩＤとを該遊技場別会員情報データベースにおいて全て特定するようにしているが、本発明はこれに限定されるものではなく、これら他遊技場会員識別情報特定処理において前述した同一の電子メールアドレスを含む会員属性情報が記憶されている遊技場等の特定に要する処理負荷が、遊技場の数や会員の数が多くなった場合において大きくなり、特定に要する時間が大きくなってしまう場合が考えられることから、例えば、図２３に示すように、予め各会員遊技者の会員属性情報である電子メールアドレスに対応付けて、当該会員遊技者が会員となっている遊技場の遊技場ＩＤが記憶（登録）される登録遊技場特定テーブルを、本発明の会員関連情報記憶手段となる遊技場別会員情報データベースに加えて個別に設け、他遊技場会員識別情報特定処理においては、前記受信した他遊技場情報要求或いは他遊技場選択受付情報に含まれる会員識別情報特定情報となる会員ＩＤから特定される会員識別情報である該会員ＩＤ自体と当該会員ＩＤが対応する遊技場ＩＤとに対応付けて遊技場別会員情報データベースに記憶されている会員属性情報である電子メールアドレスを特定し、該特定した電子メールアドレスに対応付けて登録遊技場特定テーブルに記憶されている遊技場ＩＤと、当該遊技場ＩＤと前記特定した電子メールアドレスとに対応付けて前記遊技場別会員情報データベースに記憶されている会員ＩＤから、受信し（受付け）た会員ＩＤが対応する遊技場以外の遊技場の遊技場ＩＤと当該遊技場における当該会員遊技者の会員ＩＤとを特定するようにしても良く、このようにすることで、前述の同一の電子メールアドレスを含む会員属性情報が記憶されている遊技場の特定、つまりは遊技場の絞り込みに要する処理負荷を低減することができる。
【０１７７】
更には、図２４に示すように、予め各会員遊技者の会員属性情報である電子メールアドレスに対応付けて、当該会員遊技者が会員となっている遊技場の遊技場ＩＤに対応する項目には、当該遊技場における当該会員遊技者の会員ＩＤが記憶され、当該会員遊技者が会員ではない遊技場の遊技場ＩＤに対応する項目には「−」が記憶（登録）される本発明における会員識別情報記憶手段となる会員ＩＤテーブルを、本発明の会員関連情報記憶手段となる遊技場別会員情報データベースに加えて個別に設け、他遊技場会員識別情報特定処理においては、受信した他遊技場情報要求或いは他遊技場選択受付情報に含まれる会員識別情報特定情報となる会員ＩＤから特定される会員識別情報である該会員ＩＤ自体に対応付けて会員ＩＤテーブルに記憶されている当該会員ＩＤが対応する遊技場ＩＤから、受信し（受付け）た会員ＩＤが対応する遊技場以外の遊技場の遊技場ＩＤと当該遊技場における当該会員遊技者の会員ＩＤとを特定するようにしても良く、このようにすることで、遊技場の絞り込みや絞り込んだ遊技場における会員ＩＤの特定に要する処理負荷を低減することができ、会員遊技者がどの遊技場において会員となっており、その会員となっている各遊技場における会員ＩＤを、遊技場別会員情報データベースの記憶データ全てを検索することなく、簡便に特定して抽出することができる。
【０１７８】
また、本実施例１では、前述のように、各会員遊技者が会員となっている全ての遊技場において所有する所有ポイントの合計である総所有ポイント数を特定するための処理負荷を低減することを目的として会員別所有ポイント数テーブルを個別に設けているが、本発明はこれに限定されるものではなく、これら会員別所有ポイント数テーブルを設けずに、前記した総所有ポイント数情報送信要求を受信した際に管理サーバ１４０（ＣＰＵ１４２）は、前述した他遊技場会員識別情報特定処理を実施して、当該会員遊技者が会員となっているその他の遊技場の遊技場ＩＤとその遊技場における会員ＩＤとを全て特定し、該特定した遊技場ＩＤと会員ＩＤ並びに総所有ポイント数情報送信要求に含まれる会員ＩＤと堂外会員ＩＤが対応する遊技場の遊技場ＩＤとに対応付けて遊技場別会員情報データベースに記憶されている所有ポイント数を全て抽出し、該抽出した所有ポイント数を合計して、総所有ポイント数を算出して特定するようにしても良い。
【実施例２】
【０１７９】
次に、本実施例２の遊技用システムについて説明すると、その構成は前述した実施例１の遊技用システムとほぼ同一とされているが、本実施例２の遊技用システムの特徴点としては、前記実施例１の遊技用システムにおいては、会員遊技者が操作可能な情報端末として遊技場に設置されているカードユニット３を用いており、この場合には、会員遊技者は、自分が会員となっている各遊技場における情報を確認する場合には、会員となっているいずれかの遊技場に出向く必要があるので、これら会員遊技者の不便を解消するために、会員遊技者が操作可能な情報端末として、各会員遊技者が自宅等にて所有している例えばノートパソコン１５や会員遊技者が携行する携帯電話１６においても会員となっている各遊技場における情報を確認することができるようにした点が大きな特徴であり、その他の構成は前記実施例１と同一であることから説明を省略し、これらノートパソコン１５や携帯電話１６において会員となっている各遊技場における情報を確認する流れについて以下に説明する。
【０１８０】
まず、本実施例２の遊技用システムは、図２５に示すように、実施例１とほぼ同様の構成とされているが、各会員遊技者が会員となっている各遊技場における情報を該会員遊技者が操作可能な情報端末であるノートパソコン１５や携帯電話１６に配信したり、該ノートパソコン１５や携帯電話１６から各種の要求を、オープンコンピュータネットワークであるインターネット網を介して受付け（受信）するためのサイトサーバ１４が、前記管理サーバ１４０に接続されて該管理サーバ１４０とともにカード管理会社に設置されており、当該サイトサーバ１４がインターネット網に接続されていることで、該インターネット網への接続機能を有するノートパソコン１５や携帯電話１６からアクセス可能とされている。
【０１８１】
これらカード管理会社に設置されている本実施例２において用いた管理サーバ１４０並びにサイトサーバ１４の構成を図２６に示す。
【０１８２】
この本実施例の管理サーバ１４０は、前記実施例１の管理サーバ１４０に、サイトサーバ１４とのデータ通信を比較的高速に実施するための通信部１４９が追加された構成とされている。
【０１８３】
また、本実施例に用いたサイトサーバ１４の構成について説明すると、該サイトサーバ１４は、図２６に示すように、コンピュータ内部にてデータの送受を行うデータバス１８１に、該サイトサーバ１４が実施するサイト用の各種データの送受を行う処理等の後述する各種処理等を行うＣＰＵ１８２、処理時の一時記憶領域等として使用されるＲＡＭ１８３、サイト用のＨＴＭＬデータやＣＰＵ１８２が実施する各種の処理内容が記述された処理プログラム等が記憶されている磁気ディスクや光磁気ディスクから成る記憶装置１８４、前記管理サーバ１４０とのデータ通信を行う第１通信部１８８、インターネット網を介して会員遊技者の情報端末であるノートパソコン１５や携帯電話１６とのデータ通信を行う第２通信部１８９が接続された比較的処理能力に優れたサーバ用のコンピュータである。
【０１８４】
またサイトサーバ１４のＣＰＵ１８２は、処理において発生するデータや受付けた各種データを管理サーバ１４０に送信するとともに、該管理サーバ１４０から送信される情報やデータに基づいて配信ページを生成して配信するように、これら管理サーバ１４０とサイトサーバ１４とが協調して各種の処理を行うようになっている。
【０１８５】
以下、本実施例の遊技場システムにおいて、会員遊技者が、自分が会員となっている各遊技場における各種の情報を把握する流れについて説明すると、まず、会員遊技者が、ノートパソコン１５或いは携帯電話１６からサイトサーバ１４のサイト（会員サービスサイト）にアクセスすると、サイトサーバ１４から図２７に示すログインページが配信される。
【０１８６】
尚、以下の説明においては会員遊技者がノートパソコン１５からアクセスした場合を例に説明するが、携帯電話１６からアクセスした場合にも、表示容量による差異はあるものの、ほぼ同様である。
【０１８７】
このログインページには、図２７に示すように、会員ＩＤを入力するための会員ＩＤ入力部と、暗証番号を入力するための暗証番号入力部とが設けられており、会員遊技者は、これら各入力部に自分が会員となっている遊技場の内、いずれか１つの会員となっている遊技場、例えば、情報の確認を行いたい遊技場における会員ＩＤ並びに暗証番号を入力した後、当該ログインページの下方位置に設けられている「ログイン」の選択入力部を選択入力する。
【０１８８】
この「ログイン」の選択入力部の選択入力に基づいて、サイトサーバ１４は、図３２に示すように、当該ログインページにて受付けた会員ＩＤと暗証番号とを管理サーバ１４０に送信することで、管理サーバ１４０において、入力された会員ＩＤに対応する遊技場の遊技場ＩＤが、入力された会員ＩＤが該当する遊技場情報テーブルにおける対応会員ＩＤに対応する遊技場ＩＤから特定されるとともに、暗証番号に基づく照合処理が実施される。
【０１８９】
具体的に管理サーバ１４０のＣＰＵ１４２は、遊技場別会員情報データベースにおける前記特定した遊技場ＩＤに対応する記憶データの内、当該送信されてきた会員ＩＤに対応付けて記憶されている暗証番号を特定し、送信されてきた暗証番号との照合を実施する。
【０１９０】
そして、該照合処理における照合が一致した場合においてログインを許諾し、サイトサーバ１４に対してメインメニューページ配信指示を送信する。
【０１９１】
このメインメニューページ配信指示の受信に応じてサイトサーバ１４（ＣＰＵ１８２）は、図２８に示すメインメニューページを配信して、ログインした会員遊技者から、所望の処理内容の選択を受付ける。尚、サイトサーバ１４（ＣＰＵ１８２）は、メインメニューページ配信指示の受信に基づいて、前記ログインページにて受付けた会員ＩＤとアクセスしてきたノートパソコン１５のＩＰアドレスとを対応付けて一時記憶することで、アクセス元のＩＰアドレスから会員ＩＤを特定できるようになっている。
【０１９２】
このメインメニューページにおいて、「登録内容変更」のメニューが選択された場合には、図３２では省略しているが、変更受付けページがサイトサーバ１４より配信されて、遊技場別会員情報データベースに記憶されている当該会員遊技者の属性情報に関する登録内容の変更受付けが実施されることで、会員遊技者が属性情報に関する登録内容を変更することができるようになっている。
【０１９３】
そして、図２８に示すように、メインメニューページにおいて「抽選参加」のメニューが選択された場合には、サイトサーバ１４（ＣＰＵ１８２）は、ノートパソコン１５から送信されてくる該「抽選参加」のメニューが選択されたことを示す抽選参加メニュー選択情報の受信に基づいて、受信した抽選参加メニュー選択情報に付加されているＩＰアドレスに対応する会員ＩＤを含む、抽選参加のメニュー選択がなされたことを示す抽選参加メニュー選択情報を管理サーバ１４０に送信する。
【０１９４】
この抽選参加メニュー選択情報の受信に基づいて管理サーバ１４０（ＣＰＵ１４２）は、受信した抽選参加メニュー選択情報に含まれる会員ＩＤに対応する遊技場ＩＤを遊技場情報テーブルの記憶データ（対応会員ＩＤ等）から特定し、該特定した遊技場ＩＤと受信した会員ＩＤとに対応付けて前記遊技場別会員情報データベースに記憶されている氏名と電子メールアドレスとを特定する。
【０１９５】
そして、該特定した氏名と電子メールアドレスに対応して会員別ポイント数テーブルの総所有ポイント数の項目に記憶されている総所有ポイント数、つまりは、会員ＩＤから特定される会員遊技者が会員となっている全ての遊技場において所有するポイントの合計となる総所有ポイント数を特定する総所有ポイント数特定処理を実施する。
【０１９６】
そして、該総所有ポイント数特定処理にて特定した総所有ポイント数が、図１１に示す抽選設定画面において、その時点において参加を受付け中に設定されている抽選イベントへの参加に必要なポイント数以上（本実施例では１０Ｐ以上）である場合において、該総所有ポイント数と、前記抽選イベントへの参加に必要なポイント数（本実施例では１０Ｐ）とに基づいて、該会員遊技者が抽選イベントへの参加に申し込み可能な参加可能口数を特定し、該特定した参加可能口数と前記総所有ポイント数特定処理にて特定した総所有ポイント数とを含む総所有ポイント数情報をサイトサーバ１４に対して送信する。
【０１９７】
この総所有ポイント数情報を受信したサイトサーバ１４（ＣＰＵ１８２）は、受信した総所有ポイント数情報に含まれる総所有ポイント数と、参加可能口数とを含む参加受付けページを会員遊技者の情報端末であるノートパソコン１５に対して配信する。
【０１９８】
この抽選参加受付けページには、図２９に示す如く、そのページの下方部に、会員遊技者から抽選への参加を受付けるための「参加する」と「参加しない」の各選択入力部が設けられており、これら「参加する」と「参加しない」の各選択入力部の選択を会員遊技者から受付ける。
【０１９９】
該抽選参加受付けページにおいて、会員遊技者により「参加しない」が選択された場合には処理を中断し、前記メインメニューを再度配信して該メインメニューに戻る一方、「参加する」が選択された場合には、情報端末であるノートパソコン１５から送信される該「参加する」のメニューを選択したことを示す参加希望メニュー選択情報の受信に基づいて、受信した参加希望メニュー選択情報に付加されているＩＰアドレスに対応する会員ＩＤを含む、「参加」を示す参加希望メニュー選択情報を管理サーバ１４０に送信する。
【０２００】
該「参加」を示す参加希望メニュー選択情報を受信した管理サーバ１４０（ＣＰＵ１４２）は、受信した参加希望メニュー選択情報に含まれる会員ＩＤに対応する遊技場ＩＤを遊技場情報テーブルの記憶データから特定し、該特定した遊技場ＩＤと受信した会員ＩＤとに対応付けて前記会員情報データベースに記憶されている氏名と電子メールアドレスとを特定し、該特定した氏名と電子メールアドレスに対応して会員別ポイント数テーブルに各遊技場ＩＤと当該遊技場の会員ＩＤに対応付けて記憶されている各所有ポイントから、該会員遊技者が会員となっている各遊技場にて所有している所有ポイント数を特定し、該特定した当該会員遊技者の各遊技場毎の所有ポイント数とその遊技場名（遊技場情報テーブルから特定）とを含む遊技場別ポイント数情報を、サイトサーバ１４に対して送信する。
【０２０１】
この遊技場別ポイント数情報の受信に基づいてサイトサーバ１４（ＣＰＵ１８２）は、受信した遊技場別ポイント数情報に含まれる当該会員遊技者が会員となっている各遊技場の遊技名と該遊技場において当該会員遊技者が所有する所有ポイント数とを含む、図３０に示す消費ポイント内訳受付ページを配信して、当該会員遊技者が会員となっている各遊技場において所有する所有ポイント数を会員遊技者に報知する。
【０２０２】
この本実施例の消費ポイント内訳受付ページには、図３０に示す如く、前記抽選参加受付けページにおいて報知された参加可能口数を上限として、該上限の範囲内の参加口数を選択可能として会員遊技者から参加口数を受付けるための参加口数の項目と、該受付けた参加口数に対して必要とされる消費ポイント数が表示される必要Ｐの項目とが設けられている。
【０２０３】
更に、消費ポイント内訳受付ページの中央部には、当該会員遊技者が会員となっている各遊技場において所有する所有ポイント数が、遊技場名に対応して表示されているとともに、該表示の向かって右位置には、各遊技場名に対応する所有ポイント数を上限値として、該上限値の範囲内のポイント数を選択可能とされた消費Ｐの項目が設けられていて、会員遊技者から、前記参加口数の項目にて受付けた参加口数に対して必要とされる消費ポイント数を、どの遊技場の所有ポイント数からどれだけ消費するかである、抽選への参加に必要な消費ポイント数の消費内訳を受付け可能とされている。
【０２０４】
そして、消費ポイント内訳受付ページの下方に設けられている「決定」の選択入力部が選択入力されることで、当該消費ポイント内訳受付ページにて受付けられた参加口数や前記消費Ｐの項目にて選択された数値（消費ポイント数）の情報が情報端末であるノートパソコン１５からサイトサーバ１４に送信されてくることに基づいて、サイトサーバ１４（ＣＰＵ１８２）は、受信した情報に基づく参加口数に対して必要とされる消費ポイント数と、消費Ｐの項目にて選択された数値（消費ポイント数）の合計とが一致するかを判定し、一致する場合において、情報端末であるノートパソコン１５から受信した情報に付加されているＩＰアドレスに対応する会員ＩＤを含み、該受信した情報に基づく会員遊技者から受付けた消費内訳、具体的には、遊技場の所有ポイントから消費する消費ポイント数となる消費Ｐの項目における数値（消費ポイント数）と、該数値（消費ポイント数）に対応する遊技場名と、前記参加口数の項目にて選択された参加口数とを含む消費情報を、管理サーバ１４０に送信する一方、図３１に示す受付け完了ページを情報端末であるノートパソコン１５に配信して、アクセスしてきた会員遊技者に抽選への参加受付けが良好になされたことを報知する。
【０２０５】
そして、該消費情報を受信した管理サーバ１４０（ＣＰＵ１４２）は、受信した消費情報に含まれる会員ＩＤに対応する遊技場ＩＤを遊技場情報テーブルの記憶データから特定し、該特定した遊技場ＩＤと受信した会員ＩＤとに対応付けて前記遊技場別会員情報データベースに記憶されている氏名と電子メールアドレスとを特定し、該特定した氏名と電子メールアドレスに対応して会員別ポイント数テーブルに各遊技場ＩＤと当該遊技場の会員ＩＤとに対応付けて記憶されている各所有ポイント数の内、受信した消費情報に含まれる遊技場名から特定される遊技場ＩＤ（遊技場情報テーブルより特定）に対応付けて記憶されている所有ポイント数から、受信した消費情報に含まれる当該会員ＩＤに対応するポイント数（消費ポイント数）を減算更新するとともに、当該減算した消費ポイント数に対応する会員ＩＤと遊技場ＩＤに対応する遊技場別会員情報データベースの所有ポイントを減算更新後の所有ポイント数に更新した後、受信した消費情報に含まれる参加口数分、例えば１口であれば１つ、２口であれば２つの前記にて特定した電子メールアドレスを抽選テーブルにセット（設定）する。
【０２０６】
そして、前述した前記抽選設定画面（図１１参照）において当該抽選イベントに対して設定されている抽選日時に、これら参加口数に対応した数の電子メールアドレスがセットされた抽選テーブルから、該前記抽選設定画面において各賞毎に設定されている数の電子メールアドレスを抽出して当選者を抽選し、該抽出した当選者の電子メールアドレスに当選メールを送信して当選を報知する。
【０２０７】
また、メインメニューページにおいて図３３に示すように「遊技情報」のメニューが選択された場合には、サイトサーバ１４（ＣＰＵ１８２）は、ノートパソコン１５から送信される該「遊技情報」のメニューが選択されたことを示す遊技情報メニュー選択情報の受信に基づいて図３７のＥに進み、受信した遊技情報メニュー選択情報に付加されているＩＰアドレスに対応する会員ＩＤを含む、遊技情報のメニュー選択がなされたことを示す遊技情報受付情報を管理サーバ１４０に対して送信する。
【０２０８】
この遊技情報受付情報の受信に基づいて管理サーバ１４０（ＣＰＵ１４２）は、受信した遊技情報受付情報に含まれる会員ＩＤに対応する遊技場ＩＤを遊技場情報テーブルの記憶データから特定し、該特定した遊技場ＩＤと受信した会員ＩＤとに対応付けて前記遊技場別会員情報データベースに記憶されている所有ポイントと来店回数とを抽出するとともに、前記遊技場別会員遊技履歴テーブルにおいて該遊技場ＩＤと会員ＩＤに対応付けて記憶されている貯蓄玉数と遊技履歴とを抽出する抽出処理を実施し、該抽出処理にて抽出した所有ポイントと来店回数、貯蓄玉数、遊技履歴の情報を含む遊技情報データをサイトサーバ１４に送信する。
【０２０９】
この遊技情報データを受信したサイトサーバ１４（ＣＰＵ１８２）は、受信した遊技情報データに含まれる所有ポイントと来店回数、貯蓄玉数、遊技履歴とを含む図３４に示す遊技情報ページを会員遊技者の情報端末であるノートパソコン１５に対して配信することで、会員遊技者は、前記ログインページにて入力した会員ＩＤに対応する遊技場における貯蓄玉数や所有ポイント数、来店回数や各遊技での収支等の情報を確認することができる。
【０２１０】
そして、会員遊技者が、自分が会員となっているその他の遊技場における所有ポイントや、来店回数、貯蓄玉数や各遊技での収支等の情報を確認したい場合には、前記にて配信された図３４に示す遊技情報ページの下方位置に設けられている「他の遊技場」の選択入力部を選択することで、ノートパソコン１５から送信される該「他の遊技場」のメニューが選択されたことを示す他遊技場メニュー選択情報の受信に基づいて、受信した他遊技場メニュー選択情報に付加されているＩＰアドレスに対応する会員ＩＤを含む、他の遊技場が選択された旨を示す他遊技場選択受付情報がサイトサーバ１４から管理サーバ１４０に送信される。
【０２１１】
そして管理サーバ１４０（ＣＰＵ１４２）は、該送信された会員ＩＤを含む他遊技場選択受付情報を受信する他遊技場選択受付情報受信処理を実施するとともに、他遊技場会員識別情報特定処理を実施する。具体的には、受信した他遊技場選択受付情報に含まれる会員ＩＤに対応する遊技場ＩＤを遊技場情報テーブルの記憶データ（対応会員ＩＤ等）から特定し、該特定した遊技場ＩＤと受信した会員ＩＤとに対応付けて前記遊技場別会員情報データベースに記憶されている電子メールアドレスを特定するとともに、該遊技場別会員情報データベースに当該特定した電子メールアドレスと同一の電子メールアドレスが記憶されている他の遊技場（受信した他遊技場選択受付情報に含まれる会員ＩＤに対応する遊技場以外の遊技場）の遊技場ＩＤとその各遊技場における会員ＩＤを全て特定して抽出するとともに、該抽出したデータを受信した他遊技場選択受付情報に含まれる会員ＩＤに対応付けて一時記憶する。
【０２１２】
つまり、本実施例の他遊技場選択受付情報受信処理において、会員識別情報特定情報となる会員ＩＤを含む他遊技場選択受付情報を受信して受付けており、該他遊技場選択受付情報受信処理を実施するＣＰＵ１４２によって本発明における会員識別情報受付け手段が形成されている。
【０２１３】
更には、本実施例の他遊技場会員識別情報特定処理において、他遊技場選択受付情報受信処理にて受信し（受付け）た会員識別情報特定情報となる会員ＩＤから特定される会員ＩＤ（会員識別情報）に対応付けて、会員関連情報記憶手段を成す遊技場別会員情報データベースに記憶されている記憶データである会員属性情報としての電子メールアドレスと同一の電子メールアドレスに対応付けて該遊技場別会員情報データベースに記憶されている会員ＩＤと遊技場ＩＤとから、該受信した他遊技場選択受付情に含まれる会員識別情報特定情報となる会員ＩＤから特定される会員識別情報である当該会員ＩＤ自体が対応する遊技場以外の遊技場の遊技場ＩＤと当該遊技場における当該会員遊技者の会員ＩＤとを特定しており、該他遊技場会員識別情報特定処理を実施するＣＰＵ１４２によって本発明における他遊技場会員識別情報特定手段が形成されている。
【０２１４】
そして、該他遊技場会員識別情報特定処理にて特定された全ての遊技場、つまり、受信した他遊技場選択受付情報に含まれる会員ＩＤに対応する遊技場以外の当該会員遊技者が会員となっている遊技場の遊技場名を含む遊技場情報が、管理サーバ１４０からサイトサーバ１４に送信されることで、サイトサーバ１４から当該遊技場情報に含まれる各遊技場を選択指定可能とされた図３５に示す遊技場選択ページが、会員遊技者の情報端末であるノートパソコン１５に配信される。
【０２１５】
この遊技場選択ページにおいて会員遊技者は、図３５に示すように、情報を確認したい遊技場に対応するチェックボックス５０をチェックすることで選択した後、当該ページの下方位置に設けられている「表示」の選択入力部を選択することで、サイトサーバ１４から管理サーバ１４０に対して、アクセス元のノートパソコン１５のＩＰアドレスから特定される会員ＩＤと該選択された遊技場を特定可能な情報（遊技場名であっても良いし、遊技場ＩＤでも良いし、表示順序の情報等でも良い）とを含む選択遊技場情報が送信され、管理サーバ１４０において、該選択遊技場情報に含まれる選択された遊技場を特定可能な情報により特定される遊技場の遊技場ＩＤと該遊技場における当該会員遊技者の会員ＩＤが、前記他遊技場会員識別情報特定処理にて一時記憶したデータから特定され、該特定した遊技場ＩＤと会員ＩＤに対応付けて前記遊技場別会員情報データベースに記憶されている所有ポイントと来店回数とが抽出されるとともに、該遊技場ＩＤと会員ＩＤとに対応付けて前記遊技場別会員遊技履歴テーブルに記憶されている貯蓄玉数と遊技履歴とが他店遊技情報データとして抽出される抽出処理が実施される。
【０２１６】
そして、該抽出処理にて抽出された他店遊技情報データがサイトサーバ１４に送信される他店遊技情報データ送信処理が実施されることで、これら抽出された貯蓄玉数や、所有ポイント、来店回数、並びに収支を含む遊技履歴を含む図３６に示す遊技情報ページが、当該遊技場の会員ＩＤや暗証番号等を会員遊技者が入力することなしに、会員遊技者のノートパソコン１５（或いは携帯電話１６）に配信されるようになり、会員遊技者は、前記遊技場選択ページにて選択した遊技場における所有ポイント数や来店回数、貯蓄玉数や各遊技での収支等の情報を、遊技場に出向くことなく簡便に確認することができる。
【０２１７】
つまり、本実施例の抽出処理において、前記他遊技場会員識別情報特定処理にて特定された遊技場ＩＤと会員ＩＤとの内、受信した選択遊技場情報に含まれる遊技場の遊技場ＩＤと会員ＩＤとに対応付けて遊技場別会員情報データベース並びに遊技場別会員遊技履歴テーブルに記憶されている所有ポイント数や来店回数並びに遊技履歴と貯蓄玉数から成る会員利用関連情報となる他店遊技情報データを抽出しており、該抽出処理を実施するＣＰＵ１４２によって本発明における抽出手段が形成されているとともに、該抽出処理にて抽出された他店遊技情報データを他店遊技情報データ送信処理にて送信（配信）しており、該他店遊技情報データ送信処理を実施するＣＰＵ１４２によって本発明における会員利用関連情報配信手段が形成されている。
【０２１８】
尚、この図３６に示す遊技情報ページにも図３４に示す遊技情報ページと同様に「他の遊技場」の選択入力部が設けられており、会員遊技者が更にその他の遊技場の会員遊技関連情報を確認したい場合には、再度「他の遊技場」を選択することで、図３７に示すように、前記遊技場選択ページが再度配信されることで、その他の遊技場を繰返し指定することができ、会員遊技者は、自分が会員となっている各遊技場における会員遊技関連情報を、当該遊技場の会員ＩＤや暗証番号等を会員遊技者が入力することなしに、順次確認することができる。
【０２１９】
また、図３８に示すように、メインメニューページにおいて「統合履歴」のメニューが選択された場合には、サイトサーバ１４（ＣＰＵ１８２）は、ノートパソコン１５から送信される該「統合履歴」のメニューが選択されたことを示す統合履歴メニュー選択情報の受信に基づいて、図３２に示すように、統合履歴の選択受付け有りと判定して図４８のFに進み、受信した統合履歴メニュー選択情報に付加されているＩＰアドレスに対応する会員ＩＤを含む、当該会員遊技者が遊技したことのある機種情報を要求する機種情報要求を管理サーバ１４０に送信する。
【０２２０】
この機種情報要求の受信に基づいて管理サーバ１４０（ＣＰＵ１４２）は、他遊技場会員識別情報特定処理を実施する。具体的には、受信した機種情報要求に含まれる会員ＩＤに対応する遊技場ＩＤを遊技場情報テーブルの記憶データ（対応会員ＩＤ等）から特定し、該特定した遊技場ＩＤと受信した会員ＩＤとに対応付けて前記遊技場別会員情報データベースに記憶されている会員属性情報である電子メールアドレスを特定し、該遊技場別会員情報データベースに当該特定した電子メールアドレスと同一の電子メールアドレスが記憶されている他の遊技場（受信した他遊技場選択受付情報に含まれる会員ＩＤに対応する遊技場以外の遊技場）とその遊技場における会員ＩＤを全て特定して抽出するとともに、該抽出したデータを受信した機種情報要求に含まれる会員ＩＤに対応付けて一時記憶する。
【０２２１】
そして、該抽出した全ての会員ＩＤと当該会員ＩＤが対応する遊技場の遊技場ＩＤ並びに受信した機種情報要求に含まれる会員ＩＤと当該会員ＩＤが対応する遊技場ＩＤとに対応付けて遊技場別会員遊技履歴テーブルに記憶されている遊技履歴、つまり、該会員が会員となっている全ての遊技場における過去（３ヶ月間）における全ての遊技履歴を抽出し、該抽出した全遊技履歴から、当該会員が過去（３ヶ月間）に遊技した機種名をさらに全て抽出し、該抽出した機種名を含む機種データをサイトサーバ１４に送信する。
【０２２２】
この機種データを受信したサイトサーバ１４（ＣＰＵ１８２）は、受信した機種データに含まれる各機種を選択指定可能とされた図３９に示す実績機種選択ページを、会員遊技者の情報端末であるノートパソコン１５に配信する。
【０２２３】
この実績機種選択ページにおいて会員遊技者は、図３９に示すように、統合履歴を確認したい機種に対応する「選択」の選択入力部を選択することで、サイトサーバ１４から管理サーバ１４０に対して、アクセス元のノートパソコン１５のＩＰアドレスから特定される会員ＩＤと該選択された機種名を含む統合履歴データ要求が送信される。
【０２２４】
そして管理サーバ１４０（ＣＰＵ１４２）は、該送信された統合履歴データ要求を受信する統合履歴データ要求受信処理を実施するとともに、該受信した統合履歴データ要求に含まれる会員ＩＤ対応付けて一時記憶されている前述した他遊技場会員識別情報特定処理にて特定して抽出した他の遊技場の遊技場ＩＤとその遊技場における会員ＩＤ、並びに受信した該統合履歴データ要求に含まれる会員ＩＤと当該会員ＩＤに対応する遊技場ＩＤ、つまりは、当該会員遊技者が会員となっている全ての遊技場の遊技場ＩＤとその遊技場における会員ＩＤに対応付けて遊技場別会員遊技履歴テーブルに記憶されている遊技履歴を全て抽出して、受信した統合履歴データ要求に含まれている会員ＩＤに対応付けて、各遊技場ＩＤと会員ＩＤ並びに抽出した遊技履歴とを一時記憶するとともに、該抽出して一時記憶した遊技履歴の内、受信した統合履歴データ要求に含まれる機種名を含む遊技履歴を全て抽出する遊技履歴抽出処理を実施する。
【０２２５】
つまり、本実施例の統合履歴データ要求受信処理においては、会員が操作可能な情報端末であるノートパソコン１５からサイトサーバ１４を介して当該会員遊技者が会員となっているいずれか１つの遊技場における会員ＩＤを特定可能な会員識別情報特定情報である会員ＩＤ自体と機種特定情報となる機種名とを含む遊技履歴情報送信要求となる統合履歴データ要求を受信して受付けており、該統合履歴データ要求受信処理を実施するＣＰＵ１４２によって本発明における会員識別情報受付け手段が形成されている。
【０２２６】
また、本実施例の遊技履歴抽出処理においては、受信した遊技履歴情報送信要求となる統合履歴データ要求に含まれる会員識別情報特定情報である会員ＩＤから特定される会員ＩＤ自体並びに前記他遊技場会員識別情報特定処理にて特定された全ての会員ＩＤとに対応付けて遊技場別会員遊技履歴テーブルに記憶されている遊技履歴の内、該統合履歴データ要求に含まれる機種名を含む遊技履歴を抽出しており、該遊技履歴抽出処理を実施するＣＰＵ１４２によって本発明における遊技履歴抽出手段が形成されている。
【０２２７】
そして管理サーバ１４０（ＣＰＵ１４２）は、該遊技履歴抽出処理にて抽出した前記機種名を含む遊技履歴に基づいて、当該機種名の同一機種を対象とする該会員遊技者の統合履歴データを生成する統合履歴情報生成処理を実施した後、該統合履歴情報生成処理にて生成した統合履歴データをサイトサーバ１４に送信する統合履歴情報送信処理を実施する。尚、生成される統合履歴データとしては、実施例１の統合履歴データと同一である。
【０２２８】
つまり、本実施例の統合履歴情報生成処理においては、前記遊技履歴抽出処理にて抽出された遊技履歴を統合して統合履歴データを生成しており、該統合履歴情報生成処理を実施するＣＰＵ１４２によって本発明における統合遊技履歴情報生成手段が形成され、更には、本実施例の統合履歴情報送信処理においては、統合履歴情報生成処理にて生成された該統合履歴データを、統合履歴データ要求を送信してきたノートパソコン１５にサイトサーバ１４を介して送信しており、該統合履歴情報送信処理を実施するＣＰＵ１４２によって本発明における統合遊技履歴情報配信手段が形成されている。
【０２２９】
尚、本実施例では、機種情報要求の受信時に実施した他遊技場会員識別情報特定処理にて抽出したデータを一時記憶しておくことで統合履歴データ要求の受信時においては、該他遊技場会員識別情報特定処理を実施していないが、本発明はこれに限定されるものではなく、これら統合履歴データ要求の受信時においても、機種情報要求の受信時と同様に他遊技場会員識別情報特定処理を実施しても良い。
【０２３０】
つまり、本実施例の他遊技場会員識別情報特定処理において、統合履歴データ要求受信処理にて受信し（受付け）た統合履歴データ要求と同一の会員識別情報特定情報となる会員ＩＤを含む機種情報要求に含まれる該会員識別情報特定情報から特定される会員ＩＤ（会員識別情報）に対応付けて、会員関連情報記憶手段を成す遊技場別会員情報データベースに記憶されている記憶データである会員属性情報としての電子メールアドレスと同一の電子メールアドレスに対応付けて該遊技場別会員情報データベースに記憶されている会員ＩＤと遊技場ＩＤとから、該受信した統合履歴データ要求（機種情報要求）に含まれる会員識別情報特定情報となる会員ＩＤから特定される会員識別情報である当該会員ＩＤ自体が対応する遊技場以外の遊技場の遊技場ＩＤと該遊技場における当該会員遊技者の会員ＩＤとを特定しており、該他遊技場会員識別情報特定処理を実施するＣＰＵ１４２によって本発明における他遊技場会員識別情報特定手段が形成されている。
【０２３１】
この統合履歴データを受信したサイトサーバ１４（ＣＰＵ１８２）は、受信した統合履歴データに含まれる総遊技回数や、総始動回数や、総大当り回数や、総確変回数や、平均大当り確率や、平均確変確率や、収支合計を含む図４０に示す統合履歴ページを会員遊技者の情報端末であるノートパソコン１５に対して配信することで、該会員遊技者は、前記実績機種選択ページにて指定した機種における統合履歴を簡便に確認することができる。
【０２３２】
この各統合履歴データが表示された統合履歴ページには、図４０に示すように、ページの下方位置に、前記統合履歴データに統合されている各遊技場における指定した機種と同一機種における遊技履歴を、各遊技場毎に比較可能に表示させるための「比較表示」の選択入力部や、指定した機種とは異なる機種における統合履歴を表示させるための「他機種」の選択入力部や、指定した機種と同一機種における遊技履歴を遊技場別に個別表示させるための「遊技場別」の選択入力部や、「戻る」の各選択入力部が設けられている。
【０２３３】
これらの各選択入力部の内、まず、「比較表示」の選択入力部を会員遊技者が選択入力した場合には、図４８に示すように、比較表示の選択受付け有りと判定されて図４９のａに進み、サイトサーバ１４から管理サーバ１４０に対して、アクセス元のノートパソコン１５のＩＰアドレスから特定される会員ＩＤと該比較表示データが選択された旨を示す比較表示データ選択受付情報が管理サーバ１４０に送信される。
【０２３４】
この比較表示データ選択受付情報の受信に基づき管理サーバ１４０（ＣＰＵ１４２）においては、受信した比較表示データ選択受付情報に含まれる会員ＩＤに対応付けて一時記憶されている、前記統合履歴データ要求の受信に基づき抽出した当該会員遊技者の会員となっている全ての遊技場における全遊技履歴の内、前記統合履歴データ要求に含まれる機種名を含む遊技履歴を各遊技履歴が対応する遊技場毎に集計し、これら集計した各遊技場毎のデータを対比可能な表示データ、具体的には、図４１に示すように、各遊技場毎の始動回数と、大当り回数、確変回数とを、折線グラフにて各遊技場における回数の推移を比較可能とするとともに、各遊技場における収支が、マイナスまたはプラスの大きさを目視にて比較可能とする棒状グラフとした比較表示データを生成する比較表示データ生成処理を実施するとともに、該生成した比較表示データをサイトサーバ１４に送信する比較表示データ送信処理を実施する。
【０２３５】
つまり、本実施例の比較表示データ生成処理においては、遊技履歴抽出処理にて抽出された遊技履歴を、当該抽出された遊技履歴が対応する遊技場別に対比可能な比較表示データ形式となる折線グラフや棒状グラフに加工しており、該比較表示データ生成処理を実施するＣＰＵ１４２によって本発明における比較表示データ加工手段が形成されている。
【０２３６】
また、本実施例の比較表示データ送信処理においては、前記比較表示データ生成処理にて生成（加工）された比較表示データを、前記遊技履歴情報送信要求となる統合履歴データ要求を送信してきた情報端末であるノートパソコン１５に、サイトサーバ１４を介して送信しており、該比較表示データ送信処理を実施するＣＰＵ１４２によって本発明における比較表示データ配信手段が形成されている。
【０２３７】
この比較表示データを受信したサイトサーバ１４（ＣＰＵ１８２）は、受信した比較表示データに含まれる始動回数や大当り回数や確変回数の折線グラフや、収支の棒状グラフを含む図４１に示す比較表示ページを、会員遊技者の情報端末であるノートパソコン１５に配信する。
【０２３８】
次に、図４２に示すように、前述した各選択入力部の内、「他機種」の選択入力部を会員遊技者が選択入力した場合には、図４８に示すようにサイトサーバ１４は、他機種の選択受付け有りと判定して図４９のｂに進み、サイトサーバ１４から管理サーバ１４０に対して、アクセス元のノートパソコン１５のＩＰアドレスから特定される会員ＩＤと、統合履歴データの対象機種以外の遊技実績がある機種名を含む他機種情報を要求する他機種情報要求を管理サーバ１４０に送信する。
【０２３９】
この他機種情報要求の受信に基づいて管理サーバ１４０（ＣＰＵ１４２）は、受信した他機種情報要求に含まれる会員ＩＤに対応付けて一時記憶されている、前記統合履歴データ要求の受信に基づき抽出した当該会員遊技者の会員となっている全ての遊技場における全遊技履歴に含まれる機種名の内、前記統合履歴データ要求に含まれる機種名以外の機種名を含む機種データ、つまり、統合履歴データの対象機種以外の当該会員遊技者が遊技した実績のある機種名を含む他機種データをサイトサーバ１４に送信する。
【０２４０】
この他機種データを受信したサイトサーバ１４（ＣＰＵ１８２）は、受信した他機種データに含まれる各機種が選択指定可能とされた図４３に示す機種選択受付けページを、会員遊技者の情報端末であるノートパソコン１５に配信する。
【０２４１】
この機種選択受付けページにおいて会員遊技者は、図４３に示すように、統合履歴を確認したい他の機種に対応する「選択」の選択入力部を選択することで、サイトサーバ１４から管理サーバ１４０に対して、アクセス元のノートパソコン１５のＩＰアドレスから特定される会員ＩＤと該選択された機種名を含む他機種統合履歴データ要求が送信される。
【０２４２】
この他機種統合履歴データ要求の受信に基づいて管理サーバ１４０（ＣＰＵ１４２）は、受信した他機種統合履歴データ要求に含まれる会員ＩＤに対応付けて一時記憶されている、前記統合履歴データ要求の受信に基づき抽出した当該会員遊技者の会員となっている全ての遊技場における全遊技履歴の内、受信した他機種統合履歴データ要求に含まれる機種名を含む遊技履歴を全て特定して抽出する他機種遊技履歴抽出処理を実施する。
【０２４３】
つまり、本実施例の他機種遊技履歴抽出処理においては、統合履歴データ要求に含まれる会員識別情報特定情報である会員ＩＤから特定される会員ＩＤ自体並びに前記他遊技場会員識別情報特定処理にて特定された全ての会員ＩＤに対応付けて遊技場別会員遊技履歴テーブルに記憶されている遊技履歴、すなわち、当該会員遊技者の会員となっている全ての遊技場における全遊技履歴の内、該統合履歴データ要求に含まれる機種名を含まない、他機種統合履歴データ要求に含まれる機種名を含む遊技履歴を抽出しており、該他機種遊技履歴抽出処理を実施するＣＰＵ１４２によって本発明における他機種遊技履歴情報抽出手段が形成されている。
【０２４４】
そして、該他機種遊技履歴抽出処理にて抽出した遊技履歴に基づいて、当該受信した機種名の同一機種に対する該会員遊技者の統合履歴データである他機種統合履歴データを生成する他機種統合履歴データ生成処理を実施するともに、該生成した他機種統合履歴データをサイトサーバ１４に送信する他機種統合履歴情報送信処理を実施する。尚、生成される他機種統合履歴データとしては、実施例１の統合履歴データと同一である。
【０２４５】
つまり、本実施例の他機種統合履歴データ生成処理においては、前記他機種遊技履歴抽出処理にて抽出された他機種統合履歴データ要求に含まれる機種名の機種における遊技履歴を統合して他機種統合遊技履歴情報となる他機種統合履歴データを生成しており、該他機種統合履歴データ生成処理を実施するＣＰＵ１４２によって本発明における他機種統合遊技履歴情報生成手段が形成されている。
【０２４６】
また、本実施例の他機種統合履歴情報送信処理においては、他機種統合履歴データ生成処理にて生成された他機種統合履歴データを、他機種統合履歴データ要求の送信元と同じ統合履歴データ要求を送信してきた情報端末であるノートパソコン１５に、サイトサーバ１４を介して送信（配信）しており、該他機種統合履歴情報送信処理を実施するＣＰＵ１４２によって本発明における他機種統合遊技履歴情報配信手段が形成されている。
【０２４７】
この他機種統合履歴データを受信したサイトサーバ１４（ＣＰＵ１８２）は、受信した他機種統合履歴データに含まれる総遊技回数や、総始動回数や、総大当り回数や、総確変回数や、平均大当り確率や、平均確変確率や、収支合計を含む図４４に示す他機種統合履歴ページを会員遊技者の情報端末であるノートパソコン１５に対して配信することで、該会員遊技者は、前記他機種選択ページにて指定した機種における統合履歴を簡便に確認することができる。
【０２４８】
一方、図４５に示すように、前述した各選択入力部の内、「遊技場別」の選択入力部を会員遊技者が選択入力した場合には、図４８に示すようにサイトサーバ１４は、遊技場別の選択受付け有りと判定して図４９のｃに進み、アクセス元のノートパソコン１５のＩＰアドレスから特定される会員ＩＤと遊技場情報を要求する遊技場情報要求を管理サーバ１４０に送信する。
【０２４９】
この遊技場情報要求の受信に基づいて管理サーバ１４０は、受信した遊技場情報要求に含まれる会員ＩＤに対応付けて、前述の機種情報要求の受信時において一時記憶した他の遊技場並びに該受信した会員ＩＤに対応する遊技場の遊技場名、つまり、当該会員遊技者が会員となっている全ての遊技場の遊技場名を含む遊技場データを生成し、当該生成した遊技場データをサイトサーバ１４に送信する。
【０２５０】
該遊技場データを受信したサイトサーバ１４（ＣＰＵ１８２）は、受信した遊技場データに含まれる遊技場名を選択指定可能とされた図４６に示す遊技場選択ページを、会員遊技者の情報端末であるノートパソコン１５に配信する。
【０２５１】
この遊技場選択ページにおいて会員遊技者は、図４６に示すように、統合履歴の対象機種における遊技履歴を個別に確認したい遊技場に対応する「選択」の選択入力部を選択することで、サイトサーバ１４から管理サーバ１４０に対して、アクセス元のノートパソコン１５のＩＰアドレスから特定される会員ＩＤと該選択された遊技場名を含む遊技場別履歴データ送信要求が送信される。
【０２５２】
この遊技場別履歴データ送信要求の受信に基づいて管理サーバ１４０（ＣＰＵ１４２）は、受信した遊技場別履歴データ送信要求に含まれる会員ＩＤに対応付けて一時記憶されている、前記統合履歴データ要求の受信に基づき抽出した当該会員遊技者の会員となっている全ての遊技場における全遊技履歴の内、前記統合履歴データ要求に含まれる機種名を含む遊技履歴であって、且つ、受信した遊技場別履歴データ送信要求に含まれる遊技場名に該当する遊技履歴を全て特定して抽出し、受信した遊技場名に対応する該抽出した遊技履歴に基づいて、会員遊技者により遊技場選択ページにて指定（選択）された遊技場における、前記統合履歴データ要求に含まれる機種名の機種での当該会員遊技者の遊技場別履歴データを生成して送信する遊技場別履歴情報送信処理を実施する。
【０２５３】
つまり、本実施例の遊技場別履歴情報送信処理においては、前記遊技履歴抽出処理にて抽出された遊技履歴を、当該抽出された遊技履歴が対応する遊技場別に前記統合履歴データ要求を送信してきた情報端末であるノートパソコン１５に、サイトサーバ１４を介して送信（配信）しており、該遊技場別履歴情報送信処理を実施するＣＰＵ１４２によって本発明における遊技場別遊技履歴情報配信手段が形成されている。
【０２５４】
この遊技場別履歴データを受信したサイトサーバ１４（ＣＰＵ１８２）は、受信した遊技場別履歴データに含まれる総遊技回数や、総始動回数や、総大当り回数や、総確変回数や、平均大当り確率や、平均確変確率や、収支合計を含む図４７に示す遊技場別履歴ページを会員遊技者の情報端末であるノートパソコン１５に対して配信することで、該会員遊技者は、前記遊技場選択ページにて指定した遊技場における、前記した実績機種選択ページにて選択した機種での統合履歴を簡便に確認することができる。
【０２５５】
尚、本実施例２の場合においても実施例１に記述したように、管理サーバ１４０（ＣＰＵ１４２）が実施する前述した他遊技場会員識別情報特定処理において、サイトサーバ１４から受信した各種要求や情報に含まれる遊技場ＩＤと会員ＩＤ、或いは会員ＩＤ並びに該会員ＩＤが対応する遊技場の遊技場ＩＤとに対応付けて前記遊技場別会員情報データベースに記憶されている会員属性情報である電子メールアドレスを特定し、当該特定した電子メールアドレスと同一の電子メールアドレスが記憶されている他の遊技場とその遊技場における会員ＩＤを該遊技場別会員情報データベースにおいて全て特定するようにしているが、本発明はこれに限定されるものではなく、実施例１において示した図２３に示す登録遊技場特定テーブルを用いて、前述の同一の電子メールアドレスを含む会員属性情報が記憶されている遊技場の特定、つまりは遊技場の絞り込みに要する処理負荷を低減できるようにしても良いし、更には、図２４に示す会員ＩＤテーブルを用いて、各電子メールアドレスに対応する会員遊技者が会員となっている遊技場の遊技場ＩＤとその遊技場における会員ＩＤの特定を、遊技場別会員情報データベースの記憶データ全てを検索することなく、簡便に実施できるようにしても良い。
【０２５６】
以上、前記各実施例によれば、会員遊技者は、自身が会員となっている遊技場であるのいずれか１つの遊技場における会員識別情報である会員ＩＤを入力することで、当該会員遊技者が会員となっているその他の遊技場の遊技場識別情報となる遊技場ＩＤと会員ＩＤとが他遊技場会員識別情報特定手段となる管理サーバ１４０（ＣＰＵ１４２）における他遊技場会員識別情報特定処理にて特定され、該特定された遊技場ＩＤと会員ＩＤに対応付けて会員関連情報記憶手段となる遊技場別会員情報データベースや遊技場別会員遊技履歴テーブルや会員別所有ポイント数テーブルに記憶されている会員利用関連情報となる、当該会員が会員となっている各遊技場における所有ポイントや貯蓄玉数や遊技履歴を含む遊技情報や、各遊技場の所有ポイントの合計である総所有ポイント数の情報等が抽出されて会員利用関連情報配信手段となるデジタルサービスユニット（ＤＳＵ）１４８やサイトサーバ１４により配信されるようになるため、会員遊技者は、複数の遊技場におけるこれらの会員利用関連情報を確認する場合に、当該確認したい遊技場における会員ＩＤや暗証番号等を一々入力する必要がなく、よって、これら複数の遊技場における会員利用関連情報を確認する場合における会員遊技者の不便性を解消することができるとともに、会員関連情報記憶手段となる遊技場別会員遊技履歴テーブルに各会員が各遊技場において遊技した遊技履歴が各遊技場における会員ＩＤに対応付けて記憶、管理され、これら記憶されている遊技履歴から、会員遊技者が操作する情報端末であるカードユニット３やノートパソコン１５から管理サーバ１４０が受信した統合履歴データ要求に含まれる機種特定情報となる台番号または機種名から特定される機種における遊技履歴が抽出され、該抽出された遊技履歴から統合履歴データが生成されてカードユニット３やノートパソコン１５に送信（配信）されるようになるため、会員遊技者は、自身が会員となっている複数の遊技場の当該機種における自身の遊技履歴に基づいた統合遊技履歴を簡便に把握することができ、これら統合遊技履歴を把握する場合における会員の不便性を解消することができる。
【０２５７】
また、前記実施例によれば、他遊技場会員識別情報特定手段となる管理サーバ１４０（ＣＰＵ１４２）における他遊技場会員識別情報特定処理にて会員属性情報となる電子メールアドレスを用いることで、各会員遊技者が会員となっている遊技場の遊技場ＩＤと当該遊技場における当該会員遊技者の会員ＩＤとを、比較的簡便かつ精度良く特定できる。
【０２５８】
また、前記実施例によれば、前記他遊技場会員識別情報特定手段となる管理サーバ１４０（ＣＰＵ１４２）における他遊技場会員識別情報特定処理にて、予め遊技場別会員情報データベースにおいて同一の電子メールアドレスに対応付けて記憶されている遊技場ＩＤが抽出されて、該抽出された遊技場ＩＤと電子メールアドレスとが対応付けて記憶された会員関連情報記憶手段となる図２３に示す登録遊技場特定テーブルを用いることで、他遊技場会員識別情報特定手段となる他遊技場会員識別情報特定処理を実施する管理サーバ１４０が、各会員遊技者が会員となっているその他の遊技場を特定するための処理時間や処理負荷を大幅に低減することができる。
【０２５９】
また、前記実施例によれば、他遊技場会員識別情報特定手段となる管理サーバ１４０（ＣＰＵ１４２）における他遊技場会員識別情報特定処理にて、各会員遊技者の会員属性情報となる電子メールアドレスに対応付けて当該会員遊技者の会員ＩＤと該会員ＩＤが対応する遊技場の遊技場ＩＤとが記憶される会員識別情報記憶手段となる図２４に示す会員ＩＤテーブルを用いることで、前記他遊技場会員識別情報特定手段となる他遊技場会員識別情報特定処理を実施する管理サーバ１４０が、各会員遊技者が会員となっているその他の遊技場並びに当該遊技場における当該会員遊技者の会員ＩＤを特定するための処理時間や処理負荷を大幅に低減することができる。
【０２６０】
また、前記実施例によれば、会員遊技者は、前述の自身が会員となっている複数の遊技場の統合履歴データに加え、図１８（ｃ）や図４７に示すように、自身が会員となっている各遊技場の当該同一機種における遊技履歴を、各遊技場毎に容易に確認することができる。
【０２６１】
また、前記実施例によれば、会員遊技者は、自身が会員となっている各遊技場の当該同一機種における統合履歴が、図１６（ｃ）や図４１に示すように、各遊技場別に対比可能な比較表示データ形式にて表示されるようになるため、これら会員となっている各遊技場における同一機の遊技履歴の比較を容易に実施できるようになり、会員遊技者の利便性を向上できる。
【０２６２】
また、前記実施例によれば、会員遊技者は、図１７（ｃ）や図４４に示すように、統合履歴データ要求に含まれる機種特定情報となる台番号や機種名から特定される自身が希望する機種の統合履歴データのみならず、他の機種の統合履歴データを容易に確認できるようになり、会員の利便性を更に向上できる。
【０２６３】
以上、本発明の実施例を図面により説明してきたが、具体的な構成はこれら実施例に限られるものではなく、本発明の要旨を逸脱しない範囲における変更や追加があっても本発明に含まれる。
【０２６４】
例えば、前記実施例では、本発明における会員識別情報特定情報として、会員サービス提供装置である管理サーバ１４０は、会員識別情報である会員ＩＤ自体を受信するようにしているが、本発明はこれに限定されるものではなく、これら会員識別情報特定情報としては会員識別情報である会員ＩＤを特定できる情報であれば良く、例えば、総所有ポイント数情報送信要求にカードユニット３から送信される装置ＩＤを含めるようにしておき、管理サーバ１４０において、該受信した総所有ポイント数情報送信要求に含まれる会員ＩＤと装置ＩＤを対応付けて一時記憶しておくことで、当該装置ＩＤから会員ＩＤを特定できるようにしておき、会員管理コンピュータ１２０から会員ＩＤ自体ではなく装置ＩＤを含む各種の要求や情報を受信することで、対応する会員ＩＤを特定するようにしても良い。更には、各会員カードに該会員カードを個々に識別可能な会員カードＩＤと会員ＩＤとが記録されており、管理サーバ１４０において、例えば、各会員カードの会員カードＩＤに対応付けて残存度数や会員ＩＤを記憶、管理している場合であれば、会員ＩＤ自体に代えて会員識別情報特定情報として会員カードＩＤを受信して、会員カードＩＤから会員ＩＤを特定するようにしても良い。また、例えば、管理サーバ１４０において、ログインにおける認証に使用するためのサイト閲覧用ＩＤと会員ＩＤとを対応付けて記憶されている場合であれば、会員ＩＤ自体に代えて会員識別情報特定情報として該サイト閲覧用ＩＤを受信して、該サイト閲覧用ＩＤから会員ＩＤを特定するようにしても良い。
【０２６５】
また、前記各実施例では、抽出した会員利用関連情報を、アクセスしてきた会員遊技者の情報端末であるノートパソコン１５や携帯電話１６、或いは会員管理コンピュータ１２０を介してカードユニット３に配信するようにしているが、本発明はこれに限定されるものではなく、これらの会員利用関連情報を、受付けた会員ＩＤから特定される当該会員遊技者の登録電子メールアドレスや、該会員遊技者から電子メールを受付けて、会員遊技者が指定した配信先となるこれらの受付け電子メールアドレスに会員利用関連情報を配信するようにしても良い。
【０２６６】
また、前記実施例２では、遊技情報のメニュー選択において、ログインページにおいて受付けた会員ＩＤから特定される遊技場における当該会員遊技者の所有ポイント数や貯蓄玉数や勝敗を含む遊技履歴等の遊技情報が表示された遊技情報ページを、はじめに配信するようにしているが、本発明はこれに限定されるものではなく、これら遊技情報ページを配信する前に、当該受付けた会員ＩＤに対応する遊技場をも選択可能とされた遊技場選択ページを配信して、遊技場の指定を受付けるようにしても良い。
【０２６７】
また、前記各実施例では、遊技場識別情報として遊技場ＩＤを主に用いるようにしているが、本発明はこれに限定されるものではなく、これら遊技場識別情報としては、遊技場名、或いは遊技場Ａ、遊技場Ｂ、遊技場Ｃ…等のように、個々の遊技場を識別可能であるものであれば良く、個々のデータベースやテーブルや会員遊技者からの遊技場の受付け等において、同一の遊技場識別情報ではなく、形態の異なる遊技場識別情報を使用しても良い。
【０２６８】
また、前記実施例２では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【０２６９】
また、前記各実施例では、会員サービス提供装置となる管理サーバ１４０をカード管理会社に設置した例を示したが、本発明はこれに限定されるものではなく、これら会員サービス提供装置をその他の機関に設置するようにしても良い。
【０２７０】
また、前記各実施例では、遊技場情報テーブルに、各遊技場において使用されている会員ＩＤの範囲が対象会員ＩＤの項目に記憶されていることで、会員管理コンピュータ１２０やサイトサーバ１４から会員ＩＤのみを受付けることで、その会員ＩＤがどの遊技場のものであるかを特定できるようにしているが、本発明はこれに限定されるものではなく、これら会員ＩＤ中、例えばその先頭部分に遊技場ＩＤを含むような会員ＩＤとして、当該会員ＩＤから遊技場を特定できるようにしても良いし、或いは、例えばログインページにおいて会員ＩＤとともに当該会員ＩＤが記録された会員カードの発行を受けた遊技場の指定を会員遊技者から受付けるようにしても良い。
【０２７１】
また、前記実施例２では、ログインページにおいて暗証番号による照合を実施しているが、本発明はこれに限定されるものではなく、これらの照合を実施しないようにしても良い。
【０２７２】
また、前記各実施例では、受信した各種の要求や情報に含まれる会員ＩＤの会員遊技者が、その他の遊技場において会員登録している遊技場を特定するための会員属性情報として、当該会員遊技者の電子メールアドレスを使用するようにしているが、本発明はこれに限定されるものではなく、これら会員属性情報を、氏名と性別と年齢としても良いし、氏名と年齢と郵便番号としても良く、これら他の遊技場を特定するために用いる会員属性情報は適宜に選択すれば良い。また、電子メールアドレスに加えて複数の会員属性情報を、その他の遊技場において会員登録している遊技場での会員ＩＤを特定するための会員属性情報として用いた場合は、当該用いた全ての会員属性情報が合致しなくとも、電子メールアドレスに加えて用いた複数の会員属性情報の内、１つ或いは２つが合致していれば、会員遊技者が会員登録している遊技場における会員ＩＤとして特定するようにしても良い。
【０２７３】
また、前記各実施例では、カードユニット３と管理サーバ１４０とが、会員管理コンピュータ１２０を介して各種の情報等を送受しているが、本発明はこれに限定されるものではなく、これらの情報の送受を、会員管理コンピュータ１２０を介すことなく、カードユニット３と管理サーバ１４０とが直接実施するようにしても良い。
【０２７４】
また、前記各実施例では、プリペイドカードとして使用可能な会員カードを例示したが、本発明はこれに限定されるものではなく、これら会員カードは、プリペイド機能を有しないものであっても良い。
【０２７５】
また、これら会員カードの形態は、カード状のものに限定されるものではなく、会員ＩＤ等の各データを記憶可能で、会員が容易に携行できるものであれば良く、例えば携帯電話１６であっても良い。
【０２７６】
また、前記各実施例では、統合履歴データや他機種統合履歴データの内容を、前述のように、総遊技回数や、総始動回数や、総大当り回数や、総確変回数や、平均大当り確率や、平均確変確率や、収支合計としているが、本発明はこれに限定されるものではなく、これらの内容は適宜に選択すれば良い。
【０２７７】
また、前記各実施例では、比較表示データの内容を、折線グラフや棒状グラフとしているが、本発明はこれに限定されるものではなく、これらの比較表示データの形式等は、各遊技場毎のデータを対比可能な形態であれば良い。
【０２７８】
また、前記実施例では、会員管理コンピュータ１２０が、カードユニット３から送信される各種の要求を管理サーバ１４０に中継する中継処理を実施するようにしているが、本発明はこれに限定されるものではなく、これらカードユニット３が前述のルータ５を通じて、直接管理サーバ１４０とデータの送受を実施するようにしても良い。
【０２７９】
また、前記各実施例では、統合履歴の選択操作に基づく各種履歴情報の表示に際して、何らの認証を実施していないが、本発明はこれに限定されるものではなく、これらの各種履歴情報の表示に際して、前述の貯蓄玉数の使用において実施している暗証番号による認証等を実施するようにしても良い。
【０２８０】
また、前記実施例では、遊技場情報テーブルに、各遊技場において使用されている会員ＩＤの範囲が対象会員ＩＤの項目に記憶されていることで、管理サーバ１４０が受信する前述の各種要求に含まれる会員ＩＤから、その会員ＩＤがどの遊技場のものであるかを特定できるようにしているが、本発明はこれに限定されるものではなく、これら会員ＩＤ中、例えばその先頭部分に遊技場ＩＤを含むような会員ＩＤとして、当該会員ＩＤから遊技場を特定できるようにしても良いし、或いは、会員ＩＤとともに当該会員ＩＤが記録された会員カードの発行を受けた遊技場の遊技場ＩＤを各種要求中に含めるようにしても良い。
【０２８１】
また、前記各実施例では、生成した統合履歴データや他機種統合履歴データ（ページ）を、アクセスしてきた会員遊技者の情報端末であるノートパソコン１５や携帯電話１６、或いは会員管理コンピュータ１２０を介してカードユニット３に配信するようにしているが、本発明はこれに限定されるものではなく、これらの会員利用関連情報を、受付けた会員ＩＤから特定される当該会員遊技者の登録電子メールアドレスや、該会員遊技者から電子メールを受付けて、会員遊技者が指定した配信先となるこれらの受付け電子メールアドレスに会員利用関連情報を配信するようにしても良い。
【０２８２】
また、前記実施例では、カードユニット３からの統合履歴データ送信要求を、会員メニュー画面における「統合履歴」の操作に基づいて会員管理コンピュータ１２０に送信するようにしているが、本発明はこれに限定されるものではなく、これらの「統合履歴」の操作なしに、例えば会員カードが挿入されることにより、自動的に統合履歴データ送信要求を送信して、統合履歴データを入手して表示するようにしても良い。
【０２８３】
また、前記各実施例では、遊技場識別情報として遊技場ＩＤを主に用いるようにしているが、本発明はこれに限定されるものではなく、これら遊技場識別情報としては、遊技場名、或いは遊技場Ａ、遊技場Ｂ、遊技場Ｃ…等のように、個々の遊技場を識別可能であるものであれば良く、個々のデータベースやテーブルや会員遊技者からの遊技場の受付け等において、同一の遊技場識別情報ではなく、形態の異なる遊技場識別情報を使用しても良い。
【０２８４】
また、前記実施例２では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【０２８５】
また、前記実施例２では、ログインページにおいて暗証番号による照合を実施しているが、本発明はこれに限定されるものではなく、これらの照合を実施しないようにしても良い。
【０２８６】
前記実施例における各要素は、本発明に対して以下のように対応している。
本発明の請求項１は、複数の遊技場において会員登録した会員に対して当該会員が会員となっている各遊技場における当該会員に関する情報の提供サービスを行うための会員サービス提供装置であって、複数の各遊技場を個々に識別可能な遊技場識別情報（遊技場ＩＤ）並びに該遊技場における各会員（会員遊技者）を個々に識別可能な会員識別情報（会員ＩＤ）に対応付けて、当該会員の会員属性情報（電子メールアドレス）並びに当該遊技場の利用に関連して発生した会員利用関連情報（所有ポイント数、来店回数、貯蓄玉数）並びに当該会員が遊技した遊技機の機種を特定可能な機種特定情報（機種名）と該会員の当該遊技機における遊技に関連して発生した遊技関連情報（遊技開始時間、遊技終了時間、遊技時間、始動回数等）とを含む遊技履歴情報（遊技履歴）を記憶するための会員関連情報記憶手段（記憶装置１４５；遊技場別会員情報データベース、遊技場別会員遊技履歴テーブル）と、会員が操作可能な情報端末（カードユニット３、ノートパソコン１５、携帯電話１６）から当該会員が会員となっているいずれか１つの遊技場における会員識別情報を特定可能な会員識別情報特定情報（会員ＩＤ）または該会員識別情報特定情報に加えて機種特定情報（台番号、機種名）を少なくとも受付ける会員識別情報受付け手段（ＣＰＵ１４２；他遊技場情報要求受信処理、他遊技場選択受付情報受信処理、統合履歴データ要求受信処理）と、前記会員識別情報受付け手段にて会員識別情報特定情報を受付けたとき、該受付けた会員識別情報特定情報並びに前記会員関連情報記憶手段に記憶されている情報に基づいて、該受付けた会員識別情報特定情報から特定される会員識別情報が対応する遊技場以外の遊技場の遊技場識別情報と当該遊技場における当該会員の会員識別情報とを全て特定する他遊技場会員識別情報特定手段（ＣＰＵ１４２；他遊技場会員識別情報特定処理）と、前記会員識別情報受付け手段にて受付けた会員識別情報特定情報から特定される会員識別情報と該会員識別情報が対応する遊技場の遊技場識別情報とに対応付けて前記会員関連情報記憶手段に記憶されている会員利用関連情報、並びに前記他遊技場会員識別情報特定手段にて特定された遊技場識別情報と会員識別情報とに対応付けて前記会員関連情報記憶手段に記憶されている会員利用関連情報（他店遊技情報データ）を抽出する抽出手段（ＣＰＵ１４２；抽出処理）と、前記抽出手段にて抽出された会員利用関連情報を前記情報端末或いは会員が指定した配信先に配信する会員利用関連情報配信手段（ＣＰＵ１４２；他店遊技情報データ送信処理）と、前記会員識別情報受付け手段において、前記会員識別情報特定情報に加えて機種特定情報を含む遊技履歴情報送信要求を受付けたときには、該遊技履歴情報送信要求に含まれる会員識別情報特定情報から特定される会員識別情報と該会員識別情報が対応する遊技場の遊技場識別情報とに対応付けて前記会員関連情報記憶手段に記憶されている遊技履歴情報、並びに前記他遊技場会員識別情報特定手段にて特定された全ての遊技場識別情報と会員識別情報とに対応付けて前記会員関連情報記憶手段に記憶されている遊技履歴情報の内、該遊技履歴情報送信要求に含まれる機種特定情報を含む遊技履歴情報を抽出する遊技履歴抽出手段（ＣＰＵ１４２；遊技履歴抽出処理）と、前記遊技履歴抽出手段にて抽出された遊技履歴情報を統合して統合遊技履歴情報を生成する統合遊技履歴情報生成手段（ＣＰＵ１４２；統合履歴情報生成処理）と、前記統合遊技履歴情報生成手段にて生成された統合遊技履歴情報を、前記遊技履歴情報送信要求を行った前記情報端末或いは会員が指定した配信先に配信する統合遊技履歴情報配信手段（ＣＰＵ１４２；統合履歴情報送信処理）と、を備える。
【０２８７】
本発明の請求項２は、前記他遊技場会員識別情報特定手段（ＣＰＵ１４２；他遊技場会員識別情報特定処理）は、前記会員識別情報受付け手段（ＣＰＵ１４２；他遊技場情報要求受信処理、他遊技場選択受付情報受信処理）にて受付けた会員識別情報特定情報（会員ＩＤ）から特定される会員識別情報（会員ＩＤ）に対応付けて前記会員関連情報記憶手段（遊技場別会員情報データベース）に記憶されている会員属性情報（電子メールアドレス）と同一の会員属性情報に対応付けて該会員関連情報記憶手段に記憶されている会員識別情報と遊技場識別情報（遊技場ＩＤ）とから、該受付けた会員識別情報が対応する遊技場以外の遊技場の遊技場識別情報と当該遊技場における当該会員の会員識別情報とを特定する。
【０２８８】
本発明の請求項３は、前記会員関連情報記憶手段に同一の会員属性情報に対応付けて記憶されている遊技場識別情報を抽出する遊技場抽出手段（ＣＰＵ１４２；遊技場抽出処理）を備え、前記会員関連情報記憶手段は、前記遊技場抽出手段にて抽出された遊技場識別情報と会員属性情報とを対応付けて記憶するための遊技場識別情報記憶手段（記憶装置１４５；登録遊技場特定テーブル）を含み、前記他遊技場会員識別情報特定手段（ＣＰＵ１４２；他遊技場会員識別情報特定処理）は、前記会員識別情報受付け手段（ＣＰＵ１４２；他遊技場情報要求受信処理、他遊技場選択受付情報受信処理）にて受付けた会員識別情報特定情報（会員ＩＤ）から特定される会員識別情報（会員ＩＤ）と当該会員識別情報が対応する遊技場の遊技場識別情報（遊技場ＩＤ）とに対応付けて前記会員関連情報記憶手段（遊技場別会員情報データベース）に記憶されている会員属性情報（電子メールアドレス）を特定し、該特定した会員属性情報に対応付けて前記遊技場識別情報記憶手段（記憶装置１４５；登録遊技場特定テーブル）に記憶されている遊技場識別情報と、当該遊技場識別情報と前記特定した会員属性情報とに対応付けて前記会員関連情報記憶手段に記憶されている会員識別情報とから、該受付けた会員識別情報が対応する遊技場以外の遊技場の遊技場識別情報と当該遊技場における当該会員の会員識別情報（会員ＩＤ）とを特定する。
【０２８９】
本発明の請求項４は、前記会員関連情報記憶手段は、各会員の会員属性情報に対応付けて、当該会員が会員となっている個々の遊技場における会員識別情報と当該会員識別情報が対応する遊技場の遊技場識別情報とを記憶するための会員識別情報記憶手段（記憶装置１４５；会員ＩＤテーブル）を含み、前記他遊技場会員識別情報特定手段（ＣＰＵ１４２；他遊技場会員識別情報特定処理）は、前記会員識別情報受付け手段（ＣＰＵ１４２；他遊技場情報要求受信処理、他遊技場選択受付情報受信処理）にて受付けた会員識別情報特定情報（会員ＩＤ）から特定される会員識別情報（会員ＩＤ）に対応付けて前記会員識別情報記憶手段に記憶されている当該会員識別情報が対応する遊技場識別情報（遊技場ＩＤ）から、該受付けた会員識別情報が対応する遊技場以外の遊技場の遊技場識別情報（遊技場ＩＤ）と当該遊技場における当該会員の会員識別情報（会員ＩＤ）とを特定する。
【０２９０】
本発明の請求項５は、前記遊技履歴抽出手段（ＣＰＵ１４２；遊技履歴抽出処理）にて抽出された遊技履歴情報を、当該抽出された遊技履歴情報が対応する遊技場別に前記遊技履歴情報送信要求（統合履歴データ要求）を送信してきた前記情報端末（カードユニット３、ノートパソコン１５、携帯電話１６）或いは会員が指定した配信先に配信する遊技場別遊技履歴情報配信手段（ＣＰＵ１４２；遊技場別履歴情報送信処理）を備える。
【０２９１】
本発明の請求項６は、前記統合遊技履歴情報生成手段（ＣＰＵ１４２）は、前記遊技履歴抽出手段（遊技履歴抽出処理）にて抽出された遊技履歴情報を、当該抽出された遊技履歴情報が対応する遊技場別に対比可能な比較表示データ形式（折線グラフ、棒状グラフ）に加工する比較表示データ加工手段（ＣＰＵ１４２；比較表示データ生成処理）を含み、前記比較表示データ加工手段にて加工された比較表示データ形式の遊技履歴情報（比較表示データ）を、前記遊技履歴情報送信要求（統合履歴データ要求）を送信してきた前記情報端末（カードユニット３、ノートパソコン１５、携帯電話１６）或いは会員が指定した配信先に配信する比較表示データ配信手段（ＣＰＵ１４２；比較表示データ送信処理）を備える。
【０２９２】
本発明の請求項７は、前記遊技履歴情報送信要求（統合履歴データ要求）に含まれる会員識別情報特定情報（会員ＩＤ）から特定される会員識別情報（会員ＩＤ）並びに前記他遊技場会員識別情報特定手段（ＣＰＵ１４２；他遊技場会員識別情報特定処理）にて特定された全ての会員識別情報（会員となっている他の遊技場の会員ＩＤ）に対応付けて前記会員関連情報記憶手段（遊技場別会員遊技履歴テーブル）に記憶されている会員利用関連情報に含まれる遊技履歴情報の内、該遊技履歴情報送信要求に含まれる機種特定情報（機種名）を含まない他機種遊技履歴情報を抽出する他機種遊技履歴情報抽出手段（ＣＰＵ１４２；他機種遊技履歴抽出処理）と、前記他機種遊技履歴情報抽出手段にて抽出された他機種遊技履歴情報を各機種毎に統合して他機種統合遊技履歴情報を生成する他機種統合遊技履歴情報生成手段（ＣＰＵ１４２；他機種統合履歴データ生成処理）と、前記他機種統合遊技履歴情報生成手段にて生成された各機種毎の他機種統合遊技履歴情報を、前記遊技履歴情報送信要求を送信してきた前記情報端末（カードユニット３、ノートパソコン１５、携帯電話１６）或いは会員が指定した配信先に配信する他機種統合遊技履歴情報配信手段（ＣＰＵ１４２；他機種統合履歴情報送信処理）と、を備える。
【図面の簡単な説明】
【０２９３】
【図１】本発明の実施例１における遊技用システムの構成を示す図である。
【図２】本発明の実施例１において用いたパチンコ機並びにカードユニットの正面図である。
【図３】本発明の実施例１におけるカードユニットの構成を示すブロック図である。
【図４】本発明の実施例１に用いた会員管理コンピュータの構成を示す図である。
【図５】（ａ）は、本発明の実施例１に用いた会員情報テーブルを示す図であり、（ｂ）は、本発明の実施例１に用いた会員別遊技履歴テーブルを示す図であり、（ｃ）は、本発明の実施例１に用いたユニット管理テーブルを示す図である。
【図６】本発明の実施例１に用いた管理サーバの構成を示す図である。
【図７】（ａ）は、実施例１に用いた遊技場別会員情報データベースを示す図であり、（ｂ）は、実施例１に用いた遊技場別会員遊技履歴テーブルを示す図である。
【図８】（ａ）は、本発明の実施例１の遊技場別台情報テーブルを示す図であり、（ｂ）は、本発明の実施例１に用いた遊技場情報テーブルを示す図であり、（ｃ）は、本発明の実施例１に用いた会員別所有ポイント数テーブルを示す図である。
【図９】本発明の実施例に用いた会員管理コンピュータにおける会員登録画面を示す図である。
【図１０】本発明の実施例の遊技用システムを構成する会員管理コンピュータと管理サーバとの処理状況を示す図である。
【図１１】本発明の実施例１に用いた管理サーバにおける抽選設定画面を示す図である。
【図１２】本発明の実施例１の遊技用システムを構成するカードユニットと会員管理コンピュータと管理サーバとの処理状況を示す図である。
【図１３】（ａ）〜（ｃ）は、本発明の実施例１のカードユニットの表示部に表示される表示内容を示す図である。
【図１４】（ａ）〜（ｅ）は、本発明の実施例１のカードユニットの表示部に表示される表示内容を示す図である。
【図１５】（ａ）〜（ｄ）は、本発明の実施例１のカードユニットの表示部に表示される表示内容を示す図である。
【図１６】（ａ）〜（ｃ）は、本発明の実施例１のカードユニットの表示部に表示される表示内容を示す図である。
【図１７】（ａ）〜（ｃ）は、本発明の実施例１のカードユニットの表示部に表示される表示内容を示す図である。
【図１８】（ａ）〜（ｃ）は、本発明の実施例１のカードユニットの表示部に表示される表示内容を示す図である。
【図１９】本発明の実施例１の遊技用システムを構成するカードユニットと会員管理コンピュータと管理サーバとの処理状況を示す図である。
【図２０】本発明の実施例１の遊技用システムを構成するカードユニットと会員管理コンピュータと管理サーバとの処理状況を示す図である。
【図２１】本発明の実施例１の遊技用システムを構成するカードユニットと会員管理コンピュータと管理サーバとの処理状況を示す図である。
【図２２】本発明の実施例１の遊技用システムを構成するカードユニットと会員管理コンピュータと管理サーバとの処理状況を示す図である。
【図２３】その他の形態としての登録遊技場特定テーブルを示す図である。
【図２４】その他の形態としての会員ＩＤテーブルを示す図である。
【図２５】本発明の実施例２における遊技用システムの構成を示す図である。
【図２６】本発明の実施例２に用いた管理サーバとサイトサーバの構成を示す図である。
【図２７】本発明の実施例２の遊技用システムにおいて、会員遊技者の情報端末に表示されるログインページを示す図である。
【図２８】本発明の実施例２の遊技用システムにおいて、会員遊技者の情報端末に表示されるメインメニューページを示す図である。
【図２９】本発明の実施例２の遊技用システムにおいて、会員遊技者の情報端末に表示される抽選参加受付けページを示す図である。
【図３０】本発明の実施例２の遊技用システムにおいて、会員遊技者の情報端末に表示される消費ポイント内訳受付ページを示す図である。
【図３１】本発明の実施例２の遊技用システムにおいて、会員遊技者の情報端末に表示される受付け完了ページを示す図である。
【図３２】本発明の実施例２に用いたサイトサーバと管理サーバとにおける処理状況を示す図である。
【図３３】本発明の実施例２の遊技用システムにおいて、会員遊技者の情報端末に表示されるメインメニューページを示す図である。
【図３４】本発明の実施例２の遊技用システムにおいて、会員遊技者の情報端末に表示される遊技情報ページを示す図である。
【図３５】本発明の実施例２の遊技用システムにおいて、会員遊技者の情報端末に表示される遊技場選択ページを示す図である。
【図３６】本発明の実施例２の遊技用システムにおいて、会員遊技者の情報端末に表示される遊技情報ページを示す図である。
【図３７】本発明の実施例２に用いたサイトサーバと管理サーバとにおける処理状況を示す図である。
【図３８】本発明の実施例２の遊技用システムにおいて、会員遊技者の情報端末に表示されるメインメニューページを示す図である。
【図３９】本発明の実施例２の遊技用システムにおいて、会員遊技者の情報端末に表示される実績機種選択ページを示す図である。
【図４０】本発明の実施例２の遊技用システムにおいて、会員遊技者の情報端末に表示される統合履歴ページを示す図である。
【図４１】本発明の実施例２の遊技用システムにおいて、会員遊技者の情報端末に表示される比較表示ページを示す図である。
【図４２】本発明の実施例２の遊技用システムにおいて、会員遊技者の情報端末に表示される統合履歴ページを示す図である。
【図４３】本発明の実施例２の遊技用システムにおいて、会員遊技者の情報端末に表示される機種選択受付けページを示す図である。
【図４４】本発明の実施例２の遊技用システムにおいて、会員遊技者の情報端末に表示される他機種統合履歴ページを示す図である。
【図４５】本発明の実施例２の遊技用システムにおいて、会員遊技者の情報端末に表示される統合履歴ページを示す図である。
【図４６】本発明の実施例２の遊技用システムにおいて、会員遊技者の情報端末に表示される遊技場選択ページを示す図である。
【図４７】本発明の実施例２の遊技用システムにおいて、会員遊技者の情報端末に表示される遊技場別履歴ページを示す図である。
【図４８】本発明の実施例２に用いたサイトサーバと管理サーバとにおける処理状況を示す図である。
【図４９】本発明の実施例２に用いたサイトサーバと管理サーバとにおける処理状況を示す図である。
【符号の説明】
【０２９４】
２          パチンコ機
３          カードユニット
４          中継端末
５          ルータ
１４        サイトサーバ
１５        ノートパソコン
１６        携帯電話
４０        玉計数器
１００      システムコントローラ
１２０      会員管理コンピュータ
１２２      ＣＰＵ
１２５      記憶装置
１２６      入力装置
１２９      通信部
１４０      管理サーバ
１４０      管理サーバ
１４２      ＣＰＵ
１４５      記憶装置
１４６      表示装置
１８２      ＣＰＵ
１８４      記憶装置
３２７      カードリーダライタ
３２８      制御ユニット
３３４      通信部
【図１】
2006334032.tif 000003
【図２】
2006334032.tif 000004
【図３】
2006334032.tif 000005
【図４】
2006334032.tif 000006
【図５】
2006334032.tif 000007
【図６】
2006334032.tif 000008
【図７】
2006334032.tif 000009
【図８】
2006334032.tif 000010
【図９】
2006334032.tif 000011
【図１０】
2006334032.tif 000012
【図１１】
2006334032.tif 000013
【図１２】
2006334032.tif 000014
【図１３】
2006334032.tif 000015
【図１４】
2006334032.tif 000016
【図１５】
2006334032.tif 000017
【図１６】
2006334032.tif 000018
【図１７】
2006334032.tif 000019
【図１８】
2006334032.tif 000020
【図１９】
2006334032.tif 000021
【図２０】
2006334032.tif 000022
【図２１】
2006334032.tif 000023
【図２２】
2006334032.tif 000024
【図２３】
2006334032.tif 000025
【図２４】
2006334032.tif 000026
【図２５】
2006334032.tif 000027
【図２６】
2006334032.tif 000028
【図２７】
2006334032.tif 000029
【図２８】
2006334032.tif 000030
【図２９】
2006334032.tif 000031
【図３０】
2006334032.tif 000032
【図３１】
2006334032.tif 000033
【図３２】
2006334032.tif 000034
【図３３】
2006334032.tif 000035
【図３４】
2006334032.tif 000036
【図３５】
2006334032.tif 000037
【図３６】
2006334032.tif 000038
【図３７】
2006334032.tif 000039
【図３８】
2006334032.tif 000040
【図３９】
2006334032.tif 000041
【図４０】
2006334032.tif 000042
【図４１】
2006334032.tif 000043
【図４２】
2006334032.tif 000044
【図４３】
2006334032.tif 000045
【図４４】
2006334032.tif 000046
【図４５】
2006334032.tif 000047
【図４６】
2006334032.tif 000048
【図４７】
2006334032.tif 000049
【図４８】
2006334032.tif 000050
【図４９】
2006334032.tif 000051